(57)【要約】【課題】１枚のシート状のブランクにより形成され、方形状の底面部と、底面部の四方の各辺部から連設された側面部とを有する包装箱において、深さが深い包装箱であっても、ブランク形成に要する紙材を削減することができる包装箱を提供する。【解決手段】包装箱５は、シート状のブランクの状態において、底面部６０に第１横桟部６４ａと第２横桟部６４ｂとを有し、第１側面部１０に支持部１６ａと支持部１６ｂとを有し、第２側面部２０に支持部２６ａと支持部２６ｂとを有し、包装箱５を組み立てた状態においては、支持部１６ａが内側に折り返され、支持部２６ａが内側に折り返されることにより、第１横桟部６４ａが第１縦桟部１２ａと第３縦桟部２２ａに接着され、支持部１６ｂが内側に折り返されるとともに、支持部２６ｂが内側に折り返されることにより、第２横桟部６４ｂが第２縦桟部１２ｂと第４縦桟部２２ｂに接着されている。【選択図】図３
2014237480.tif 000002
【特許請求の範囲】
【請求項１】
１枚のシート状のブランクにより形成された包装箱であって、
該ブランクが、
略方形状に形成された底面部（６０）と、
底面部の四方の辺部の１つである第１辺部から第１折れ線（Ｃ１０）を介して連設された第１側面部（１０）と、
第１辺部に平行に相対している第２辺部から第２折れ線（Ｃ２０）を介して連設された第２側面部（２０）と、
第１辺部及び第２辺部に対し直角方向の一対の辺部における一方の辺部である第３辺部から第３折れ線（Ｃ３０）を介して連設された第３側面部（３０）と、
第３辺部に平行に相対している第４辺部から第４折れ線（Ｃ４０）を介して連設された第４側面部（４０）と、
第１側面部の一方の側辺部で、第３側面部側の側辺部から第５折れ線（Ｃ１２ａ）を介して延設された第１縦桟部（１２ａ）と、
第１側面部の他方の側辺部で、第４側面部側の側辺部から第６折れ線（Ｃ１２ｂ）を介して延設された第２縦桟部（１２ｂ）と、
第２側面部の一方の側辺部で、第３側面部側の側辺部から第７折れ線（Ｃ２２ａ）を介して延設された第３縦桟部（２２ａ）と、
第２側面部の他方の側辺部で、第４側面部側の側辺部から第８折れ線（Ｃ２２ｂ）を介して延設された第４縦桟部（２２ｂ）と、を有し、
第１折れ線と第２折れ線とが同一方向に形成され、第３折れ線と第４折れ線と第５折れ線と第６折れ線と第７折れ線と第８折れ線とが、第１折れ線及び第２折れ線の方向と直角の方向に形成され、
底面部が、
第１折れ線上に位置する第１基点で、第１折れ線の中点より第３側面部側寄りに位置する第１基点（Ｐ１０）から、第２折れ線上に位置する第２基点で、第１基点と相対する第２基点（Ｑ１０）までの間に形成された第１切込み（Ｊ６０）と、第１折れ線上に位置する第３基点で、第１基点よりさらに第３側面部側寄りに位置する第３基点（Ｐ２０）から、第２折れ線上に位置する第４基点で、第３基点と相対する第４基点（Ｑ２０）までの間に形成された第２切込み（Ｊ６２）と、第１折れ線上に位置する第５基点で、第１折れ線の中点より第４側面部側寄りに位置する第５基点（Ｐ３０）から、第２折れ線上に位置する第６基点で、第５基点と相対する第６基点（Ｑ３０）までの間に形成された第３切込み（Ｋ６０）と、第１折れ線上に位置する第７基点で、第５基点よりさらに第４側面部側寄りに位置する第７基点（Ｐ４０）から、第２折れ線上に位置する第８基点で、第７基点と相対する第８基点（Ｑ４０）までの間に形成された第４切込み（Ｋ６２）と、を有し、
底面部が、第１切込みと、第２切込みと、第１折れ線の一部と、第２折れ線の一部とにより囲まれた領域である第１横桟部（６４ａ）と、第３切込みと、第４切込みと、第１折れ線の一部と、第２折れ線の一部とにより囲まれた領域である第２横桟部（６４ｂ）と、第１横桟部と第２横桟部以外の領域である底面本体部（６６ａ、６６ｂ、６６ｃ）とに区画され、
第１側面部が、
第１基点から、第１仮想線（Ｗ１）上に位置する第９基点（Ｒ１０）までの間に形成された第５切込み（Ｊ７０）と、第３基点から、第１仮想線上に位置する第１０基点で、第９基点より第１折れ線側寄りで、かつ、第５折れ線側寄りに位置する第１０基点（Ｒ２０）までの間に形成された第６切込み（Ｊ７２）と、第９基点から第１０基点までの間に形成された第９折れ線（Ｃ６０ａ）と、を有し、
第１仮想線が、第１折れ線上の２点を通って第１折れ線の長さ方向に延びる直線である第１折れ線方向線と、第３折れ線上の２点を通って第３折れ線の長さ方向に延びる直線である第３折れ線方向線との交点又はその近傍を通り、第１折れ線の中点側にて、第１折れ線方向線に対し略４５度の角度をなす直線であり、
また、第５基点から、第２仮想線（Ｗ２）上に位置する第１１基点（Ｒ３０）までの間に形成された第７切込み（Ｋ７０）と、第７基点から、第２仮想線上に位置する第１２基点で、第１１基点より第１折れ線側寄りで、かつ、第６折れ線側寄りに位置する第１２基点（Ｒ４０）までの間に形成された第８切込み（Ｋ７２）と、第１１基点から第１２基点までの間に形成された第１０折れ線（Ｃ６０ｂ）と、を有し、
第２仮想線が、第１折れ線方向線と、第４折れ線上の２点を通って第４折れ線の長さ方向に延びる直線である第４折れ線方向線との交点又はその近傍を通り、第１折れ線の中点側にて、第１折れ線方向線に対し略４５度の角度をなす直線であり、
第１側面部が、第５切込みと、第６切込みと、第９折れ線と、第１折れ線の一部とにより囲まれた領域である第１横桟部第１支持部（１６ａ）と、 第７切込みと、第８切込みと、第１０折れ線と、第１折れ線の一部とにより囲まれた領域である第２横桟部第１支持部（１６ｂ）と、第１横桟部第１支持部及び第２横桟部第１支持部以外の領域である第１側面本体部（１４）とに区画され、
第２側面部が、
第２基点から、第３仮想線（Ｗ３）上に位置する第１３基点（Ｓ１０）までの間に形成された第９切込み（Ｊ８０）と、第４基点から、第３仮想線上に位置する第１４基点（Ｓ２０）で、第１３基点より第２折れ線側寄りで、かつ、第７折れ線側寄りに位置する第１４基点までの間に形成された第１０切込み（Ｊ８２）と、第１３基点から第１４基点までの間に形成された第１１折れ線（Ｃ７０ａ）と、を有し、
第３仮想線が、第２折れ線上の２点を通って第２折れ線の長さ方向に延びる直線である第２折れ線方向線と、第３折れ線上の２点を通って第３折れ線の長さ方向に延びる直線である第３折れ線方向線との交点又はその近傍を通り、第２折れ線の中点側にて、第２折れ線方向線に対し略４５度の角度をなす直線であり、
また、第６基点から、第４仮想線（Ｗ４）上に位置する第１５基点（Ｓ３０）までの間に形成された第１１切込み（Ｋ８０）と、第８基点から、第４仮想線上に位置する第１６基点で、第１５基点より第２折れ線側寄りで、かつ、第８折れ線側寄りに位置する第１６基点（Ｓ４０）までの間に形成された第１２切込み（Ｋ８２）と、第１５基点から第１６基点までの間に形成された第１２折れ線（Ｃ７０ｂ）と、を有し、
第４仮想線が、第２折れ線方向線と、第４折れ線上の２点を通って第４折れ線の長さ方向に延びる直線である第４折れ線方向線との交点又はその近傍を通り、第２折れ線の中点側にて、第２折れ線方向線に対し略４５度の角度をなす直線であり、
第２側面部が、第９切込みと、第１０切込みと、第１１折れ線と、第２折れ線の一部とにより囲まれた領域である第１横桟部第２支持部（２６ａ）と、 第１１切込みと、第１２切込みと、第１２折れ線と、第２折れ線の一部とにより囲まれた領域である第２横桟部第２支持部（２６ｂ）と、第１横桟部第２支持部及び第２横桟部第２支持部以外の領域である第２側面本体部（２４）とに区画され、
第１側面部の上辺部で第１折れ線に相対している上辺部と第１折れ線との間隔の長さである第１長さ（Ｈ１）と、第２側面部の上辺部で第２折れ線に相対している上辺部と第２折れ線との間隔の長さである第２長さ（Ｈ２）とが略同一であり、
第３側面部の上辺部で第３折れ線に相対している上辺部と第３折れ線との間隔の長さである第３長さ（Ｈ３）と、第１縦桟部の側辺部で第５折れ線に相対している側辺部と第５折れ線との間隔の長さである第４長さ（Ｈ４）と、第３縦桟部の側辺部で第７折れ線に相対している側辺部と第７折れ線との間隔の長さである第５長さ（Ｈ５）と、第４側面部の上辺部で第４折れ線に相対している上辺部と第４折れ線との間隔の長さである第６長さ（Ｈ６）と、第２縦桟部の側辺部で第６折れ線に相対している側辺部と第６折れ線との間隔の長さである第７長さ（Ｈ７）と、第４縦桟部の側辺部で第８折れ線に相対している側辺部と第８折れ線との間隔の長さである第８長さ（Ｈ８）とが、第１長さよりも短く形成され、
包装箱を組み立てた状態においては、
第１側面部と第２側面部と第３側面部と第４側面部とが、底面部との間の折れ線を介して折り曲げられ、底面本体部に対し略垂直に立設し、
第１縦桟部と第２縦桟部とが、第１側面部に対して内側に折り曲げられるとともに、第３縦桟部と第４縦桟部とが、第２側面部に対して内側に折り曲げられ、
第１横桟部第１支持部が、第９折れ線を介して第１側面本体部に対して内側に折り返されるとともに、第１横桟部第２支持部が、第１１折れ線を介して第２側面本体部に対して内側に折り返されることにより、第１横桟部が底面本体部に対して略９０度回動した状態で、第１横桟部における第１側面部側の端部領域が第１縦桟部に接着されるとともに、第１横桟部における第２側面部側の端部領域が第３縦桟部に接着され、
第２横桟部第１支持部が、第１０折れ線を介して第１側面本体部に対して内側に折り返されるとともに、第２横桟部第２支持部が、第１２折れ線を介して第２側面本体部に対して内側に折り返されることにより、第２横桟部が底面本体部に対して略９０度回動した状態で、第２横桟部における第１側面部側の端部領域が第２縦桟部に接着されるとともに、第２横桟部における第２側面部側の端部領域が第４縦桟部に接着されていることを特徴とする包装箱。
【請求項２】
第３長さと第４長さと第５長さとが、略同一であるとともに、第６長さと第７長さと第８長さとが、略同一であることを特徴とする請求項１に記載の包装箱。
【請求項３】
底面部において、第１切込みが直線状で第３折れ線と平行に形成されるとともに、第３切込みが直線状で第４折れ線と平行に形成され、第１切込みと第３折れ線間の長さである第９長さ（Ｈ９）が、第１長さと略同一に形成され、第３切込みと第４折れ線間の長さである第１０長さ（Ｈ１０）が、第１長さと略同一に形成され、第１横桟部が、第１縦桟部の上端領域と第３縦桟部の上端領域に接着されるとともに、第２横桟部が、第２縦桟部の上端領域と４縦桟部の上端領域に接着されていることを特徴とする請求項１又は２に記載の包装箱。
【請求項４】
第５切込みが、第１基点から形成された第５切込み第１構成部で、第１折れ線と直角の直線状をなす第５切込み第１構成部（Ｊ７０１）と、第５切込み第１構成部の第１基点とは反対側の端部から連設された第５切込み第２構成部で、第９基点にまで形成された第５切込み第２構成部（Ｊ７０２）と、を有し、
第７切込みが、第５基点から形成された第７切込み第１構成部で、第１折れ線と直角の直線状をなす第７切込み第１構成部（Ｋ７０１）と、第７切込み第１構成部の第５基点とは反対側の端部から連設された第７切込み第２構成部で、第１１基点にまで形成された第７切込み第２構成部（Ｋ７０２）と、を有し、
第９切込みが、第２基点から形成された第９切込み第１構成部で、第２折れ線と直角の直線状をなす第９切込み第１構成部（Ｊ８０１）と、第９切込み第１構成部の第２基点とは反対側の端部から連設された第９切込み第２構成部で、第１３基点にまで形成された第９切込み第２構成部（Ｊ８０２）と、を有し、
第１１切込みが、第６基点から形成された第１１切込み第１構成部で、第２折れ線と直角の直線状をなす第１１切込み第１構成部（Ｋ８０１）と、第１１切込み第１構成部の第６基点とは反対側の端部から連設された第１１切込み第２構成部で、第１５基点にまで形成された第１１切込み第２構成部（Ｋ８０２）と、を有し、
包装箱の組立て状態において、第１横桟部第１支持部における第５切込み第１構成部に沿った辺部である第５辺部と、第２横桟部第１支持部における第７切込み第１構成部に沿った辺部である第６辺部と、第１横桟部第２支持部における第９切込み第１構成部に沿った辺部である第７辺部と、第２横桟部第２支持部における第１１切込み第１構成部に沿った辺部である第８辺部とが水平方向に配置され、複数の包装箱を積み重ねた際に、第５辺部と第６辺部と第７辺部と第８辺部により上段側の包装箱の底面本体部が支持されることを特徴とする請求項１又は２又は３に記載の包装箱。
【請求項５】
第１側面部と第１縦桟部間の角部の上端から上方へ突出する第１突出部（７０ａ）と、第１側面部と第２縦差部間の角部の上端から上方へ突出する第２突出部（７０ｂ）と、第２側面部と第３縦桟部間の角部の上端から上方へ突出する第３突出部（７０ｃ）と、第２側面部と第４縦桟部間の角部の上端から上方へ突出する第４突出部（７０ｄ）とが設けられるとともに、
第１側面部と第１縦桟部間の角部の下端に形成された第１穴部（６８ａ）と、第１側面部と第２縦差部間の角部の下端に形成された第２穴部（６８ｂ）と、第２側面部と第３縦桟部間の角部の下端に形成された第３穴部（６８ｃ）と、第２側面部と第４縦桟部間の角部の下端に形成された第４穴部（６８ｄ）とが設けられ、
複数の包装箱を積み重ねる際、下段側の包装箱に設けられた各突出部が、上段側の包装箱に設けられた各穴部に係合することを特徴とする請求項１又は２又は３又は４に記載の包装箱。
【発明の詳細な説明】
【技術分野】
【０００１】
本発明は、１枚のシート状のブランクにより形成され、上端部に開口を有する包装箱に関するものである。
【背景技術】
【０００２】
従来より、１枚のシート状のブランクにより形成され、上端部に開口を有する包装箱として、特許文献１に記載のスタッキングトレイが存在する。図１１（特許文献１中では図６）に示すように、スタッキングトレイａは、長方形状に形成された底面部ｂと、底面部ｂの各短辺部から折れ線ｃ１を介して連設された側面部ｄと、底面部ｂの各長辺部から折れ線ｃ２を介して連設された側面部ｅと、この側面部ｅの各側辺部から折れ線ｃ３を介して延設された糊代片ｆと、を有しており、短辺部側の両側面部ｄと、長辺部側の両側面部ｅとを底面部ｂの周縁に折り立てるとともに、糊代片ｆを短辺部側の側面部ｄの裏面に接着することにより、比較的底が浅いトレイ形状（特許文献１中の図５を参照）に形成されたものである。
【０００３】
また、短辺部側の側面部ｄの下端である折れ線ｃ１と、この側面部ｄの上端である上辺部ｄ１との間の長さｈ１（つまり、側面部ｄの高さ方向の長さｈ１）と、長辺部側の側面部ｅの下端である折れ線ｃ２と、この側面部ｅの上端である上辺部ｅ１との間の長さｈ２（つまり、側面部ｅの高さ方向の長さｈ２）とが、略同一である。
【０００４】
そして、ブランクの状態において、糊代片ｆの側辺部ｆ２で、側面部ｅ側とは反対側にて折れ線ｃ３に相対している側辺部ｆ２と、糊代片ｆに隣接している側面部ｄの上辺部ｄ１とが、同一直線上に位置しており、また、長辺部側の側面部ｅの上辺部ｅ１と、この側面部ｅに設けられている糊代片ｆの上辺部ｆ１とが、同一直線上に位置しており、つまり、当該ブランクは、方形状の全体概形（概略輪郭）を有している。
【先行技術文献】
【特許文献】
【０００５】
【特許文献１】特開２００９−２９４９４号公報
【発明の概要】
【発明が解決しようとする課題】
【０００６】
しかし、特許文献１のものにおいて、底のより深いものにしたい場合には、図１１中に二点鎖線で示したように、短辺部側の側面部ｄの高さ方向の長さｈ１をこれより長いｈ３へとより長くするとともに、長辺部側の側面部ｅの高さ方向の長さｈ２をこれより長いｈ４へとより長くすることになるため、紙材から打ち抜き等の手法によりブランクを製造するに当たり、ブランクの正味に必要な紙材量が増加するばかりでなく、ブランクの全体概形（概略輪郭）が十文字形となることから、紙材に無駄が生じ、紙材損失量が増大して、コスト高となる問題がある。
【０００７】
つまり、ブランクの全体概形が方形状であれば、紙材中にブランクを形成する領域を無駄なく詰めて並べることができるが、ブランクが十文字形の場合、十文字形の入り隅部に相当する領域で、短辺部側の側面部ｄの側辺部ｄ２と、糊代片ｆの側辺部ｆ２と、短辺部側の側面部ｄの上辺部ｄ１の延長線と、糊代片ｆの上辺部ｆ１の延長線とにより囲まれた領域をブランク形成に利用することができず、製造時における紙材のロスが増大する。
【０００８】
また、包装箱ａの底を深くすればするほど、短辺部側の側面部ｄの高さ方向の長さｈ３をより長くするとともに、長辺部側の側面部ｅの高さ方向の長さｈ４をより長くすることになるため、短辺部側の側面部ｄの上辺部ｄ１の位置と、糊代片ｆの側辺部ｆ２の位置との隔たり（ｈ３−ｈ１）は、更に長くなり、上記問題は益々顕著となる。
【０００９】
そこで、本発明が解決しようとする問題点は、１枚のシート状のブランクにより形成された包箱箱で、方形状の底面部と、底面部の四方の各辺部から連設された側面部とを有する包装箱において、ブランク形成に要する紙材（ブランク形成に必要な紙材の正味とブランク形成時に生じる紙材ロス）を削減することにより、製造コストを低減することができる包装箱を提供することを目的とし、特に、側面部の高さ方向の長さが長く、深さが深い包装箱において、ブランク形成に要する紙材を削減することにより、製造コストを低減することができる包装箱を提供することを目的とするものである。
【課題を解決するための手段】
【００１０】
本発明は上記問題点を解決するために創作されたものであって、第１には、１枚のシート状のブランクにより形成された包装箱であって、該ブランクが、略方形状に形成された底面部（６０）と、底面部の四方の辺部の１つである第１辺部から第１折れ線（Ｃ１０）を介して連設された第１側面部（１０）と、第１辺部に平行に相対している第２辺部から第２折れ線（Ｃ２０）を介して連設された第２側面部（２０）と、第１辺部及び第２辺部に対し直角方向の一対の辺部における一方の辺部である第３辺部から第３折れ線（Ｃ３０）を介して連設された第３側面部（３０）と、第３辺部に平行に相対している第４辺部から第４折れ線（Ｃ４０）を介して連設された第４側面部（４０）と、第１側面部の一方の側辺部で、第３側面部側の側辺部から第５折れ線（Ｃ１２ａ）を介して延設された第１縦桟部（１２ａ）と、第１側面部の他方の側辺部で、第４側面部側の側辺部から第６折れ線（Ｃ１２ｂ）を介して延設された第２縦桟部（１２ｂ）と、第２側面部の一方の側辺部で、第３側面部側の側辺部から第７折れ線（Ｃ２２ａ）を介して延設された第３縦桟部（２２ａ）と、第２側面部の他方の側辺部で、第４側面部側の側辺部から第８折れ線（Ｃ２２ｂ）を介して延設された第４縦桟部（２２ｂ）と、を有し、第１折れ線と第２折れ線とが同一方向に形成され、第３折れ線と第４折れ線と第５折れ線と第６折れ線と第７折れ線と第８折れ線とが、第１折れ線及び第２折れ線の方向と直角の方向に形成され、底面部が、第１折れ線上に位置する第１基点で、第１折れ線の中点より第３側面部側寄りに位置する第１基点（Ｐ１０）から、第２折れ線上に位置する第２基点で、第１基点と相対する第２基点（Ｑ１０）までの間に形成された第１切込み（Ｊ６０）と、第１折れ線上に位置する第３基点で、第１基点よりさらに第３側面部側寄りに位置する第３基点（Ｐ２０）から、第２折れ線上に位置する第４基点で、第３基点と相対する第４基点（Ｑ２０）までの間に形成された第２切込み（Ｊ６２）と、第１折れ線上に位置する第５基点で、第１折れ線の中点より第４側面部側寄りに位置する第５基点（Ｐ３０）から、第２折れ線上に位置する第６基点で、第５基点と相対する第６基点（Ｑ３０）までの間に形成された第３切込み（Ｋ６０）と、第１折れ線上に位置する第７基点で、第５基点よりさらに第４側面部側寄りに位置する第７基点（Ｐ４０）から、第２折れ線上に位置する第８基点で、第７基点と相対する第８基点（Ｑ４０）までの間に形成された第４切込み（Ｋ６２）と、を有し、底面部が、第１切込みと、第２切込みと、第１折れ線の一部と、第２折れ線の一部とにより囲まれた領域である第１横桟部（６４ａ）と、第３切込みと、第４切込みと、第１折れ線の一部と、第２折れ線の一部とにより囲まれた領域である第２横桟部（６４ｂ）と、第１横桟部と第２横桟部以外の領域である底面本体部（６６ａ、６６ｂ、６６ｃ）とに区画され、第１側面部が、第１基点から、第１仮想線（Ｗ１）上に位置する第９基点（Ｒ１０）までの間に形成された第５切込み（Ｊ７０）と、第３基点から、第１仮想線上に位置する第１０基点で、第９基点より第１折れ線側寄りで、かつ、第５折れ線側寄りに位置する第１０基点（Ｒ２０）までの間に形成された第６切込み（Ｊ７２）と、第９基点から第１０基点までの間に形成された第９折れ線（Ｃ６０ａ）と、を有し、第１仮想線が、第１折れ線上の２点を通って第１折れ線の長さ方向に延びる直線である第１折れ線方向線と、第３折れ線上の２点を通って第３折れ線の長さ方向に延びる直線である第３折れ線方向線との交点又はその近傍を通り、第１折れ線の中点側にて、第１折れ線方向線に対し略４５度の角度をなす直線であり、また、第５基点から、第２仮想線（Ｗ２）上に位置する第１１基点（Ｒ３０）までの間に形成された第７切込み（Ｋ７０）と、第７基点から、第２仮想線上に位置する第１２基点で、第１１基点より第１折れ線側寄りで、かつ、第６折れ線側寄りに位置する第１２基点（Ｒ４０）までの間に形成された第８切込み（Ｋ７２）と、第１１基点から第１２基点までの間に形成された第１０折れ線（Ｃ６０ｂ）と、を有し、第２仮想線が、第１折れ線方向線と、第４折れ線上の２点を通って第４折れ線の長さ方向に延びる直線である第４折れ線方向線との交点又はその近傍を通り、第１折れ線の中点側にて、第１折れ線方向線に対し略４５度の角度をなす直線であり、第１側面部が、第５切込みと、第６切込みと、第９折れ線と、第１折れ線の一部とにより囲まれた領域である第１横桟部第１支持部（１６ａ）と、 第７切込みと、第８切込みと、第１０折れ線と、第１折れ線の一部とにより囲まれた領域である第２横桟部第１支持部（１６ｂ）と、第１横桟部第１支持部及び第２横桟部第１支持部以外の領域である第１側面本体部（１４）とに区画され、第２側面部が、第２基点から、第３仮想線（Ｗ３）上に位置する第１３基点（Ｓ１０）までの間に形成された第９切込み（Ｊ８０）と、第４基点から、第３仮想線上に位置する第１４基点（Ｓ２０）で、第１３基点より第２折れ線側寄りで、かつ、第７折れ線側寄りに位置する第１４基点までの間に形成された第１０切込み（Ｊ８２）と、第１３基点から第１４基点までの間に形成された第１１折れ線（Ｃ７０ａ）と、を有し、第３仮想線が、第２折れ線上の２点を通って第２折れ線の長さ方向に延びる直線である第２折れ線方向線と、第３折れ線上の２点を通って第３折れ線の長さ方向に延びる直線である第３折れ線方向線との交点又はその近傍を通り、第２折れ線の中点側にて、第２折れ線方向線に対し略４５度の角度をなす直線であり、また、第６基点から、第４仮想線（Ｗ４）上に位置する第１５基点（Ｓ３０）までの間に形成された第１１切込み（Ｋ８０）と、第８基点から、第４仮想線上に位置する第１６基点で、第１５基点より第２折れ線側寄りで、かつ、第８折れ線側寄りに位置する第１６基点（Ｓ４０）までの間に形成された第１２切込み（Ｋ８２）と、第１５基点から第１６基点までの間に形成された第１２折れ線（Ｃ７０ｂ）と、を有し、第４仮想線が、第２折れ線方向線と、第４折れ線上の２点を通って第４折れ線の長さ方向に延びる直線である第４折れ線方向線との交点又はその近傍を通り、第２折れ線の中点側にて、第２折れ線方向線に対し略４５度の角度をなす直線であり、第２側面部が、第９切込みと、第１０切込みと、第１１折れ線と、第２折れ線の一部とにより囲まれた領域である第１横桟部��２支持部（２６ａ）と、 第１１切込みと、第１２切込みと、第１２折れ線と、第２折れ線の一部とにより囲まれた領域である第２横桟部第２支持部（２６ｂ）と、第１横桟部第２支持部及び第２横桟部第２支持部以外の領域である第２側面本体部（２４）とに区画され、第１側面部の上辺部で第１折れ線に相対している上辺部と第１折れ線との間隔の長さである第１長さ（Ｈ１）と、第２側面部の上辺部で第２折れ線に相対している上辺部と第２折れ線との間隔の長さである第２長さ（Ｈ２）とが略同一であり、第３側面部の上辺部で第３折れ線に相対している上辺部と第３折れ線との間隔の長さである第３長さ（Ｈ３）と、第１縦桟部の側辺部で第５折れ線に相対している側辺部と第５折れ線との間隔の長さである第４長さ（Ｈ４）と、第３縦桟部の側辺部で第７折れ線に相対している側辺部と第７折れ線との間隔の長さである第５長さ（Ｈ５）と、第４側面部の上辺部で第４折れ線に相対している上辺部と第４折れ線との間隔の長さである第６長さ（Ｈ６）と、第２縦桟部の側辺部で第６折れ線に相対している側辺部と第６折れ線との間隔の長さである第７長さ（Ｈ７）と、第４縦桟部の側辺部で第８折れ線に相対している側辺部と第８折れ線との間隔の長さである第８長さ（Ｈ８）とが、第１長さよりも短く形成され、包装箱を組み立てた状態においては、第１側面部と第２側面部と第３側面部と第４側面部とが、底面部との間の折れ線を介して折り曲げられ、底面本体部に対し略垂直に立設し、第１縦桟部と第２縦桟部とが、第１側面部に対して内側に折り曲げられるとともに、第３縦桟部と第４縦桟部とが、第２側面部に対して内側に折り曲げられ、第１横桟部第１支持部が、第９折れ線を介して第１側面本体部に対して内側に折り返されるとともに、第１横桟部第２支持部が、第１１折れ線を介して第２側面本体部に対して内側に折り返されることにより、第１横桟部が底面本体部に対して略９０度回動した状態で、第１横桟部における第１側面部側の端部領域が第１縦桟部に接着されるとともに、第１横桟部における第２側面部側の端部領域が第３縦桟部に接着され、第２横桟部第１支持部が、第１０折れ線を介して第１側面本体部に対して内側に折り返されるとともに、第２横桟部第２支持部が、第１２折れ線を介して第２側面本体部に対して内側に折り返されることにより、第２横桟部が底面本体部に対して略９０度回動した状態で、第２横桟部における第１側面部側の端部領域が第２縦桟部に接着されるとともに、第２横桟部における第２側面部側の端部領域が第４縦桟部に接着されていることを特徴とする。
【００１１】
上記第１の構成においては、第３側面部と、第３側面部の両側端部の一方に立設された第１縦桟部と、他方に立設された第３縦桟部と、底面部の一部分を回動して形成された第１横桟部で、両縦桟部の上端部間に架設された第１横桟部とにより第３側面部側に額縁形状の側面部構造を形成できるとともに、第４側面部と、第４側面部の両側端部の一方に立設された第２縦桟部と、他方に立設された第４縦桟部と、底面部の一部分を回動して形成された第２横桟部で、両縦桟部の上端部間に架設された第２横桟部とにより、第３側面部に相対する第４側面部側に額縁形状の側面部構造を形成できることから、第３側面部及び第４側面部に隣接する第１側面部の高さ方向の長さである第１長さと第１側面部に相対する第２側面部の高さ方向の長さである第２長さとに比べて、第３側面部の高さ方向の長さである第３長さと第４側面部の高さ方向の長さである第６長さとを短くすることができるため、ブランク形成に要する紙材の正味を削減することができ、製造コストを低減することができ、特に、側面部が高く、底の深い包装箱において、ブランク形成に要する紙材の正味を削減することができ、製造コストを低減することができる。また、第３長さ〜第８長さが第１長さよりも短いので、ブランク形成時に生じる紙材のロスを削減することができ、製造コストを低減することができる。
【００１２】
また、第１横桟部６４ａは、支持部１６ａ、２６ａに連設されることにより支持部１６ａ、２６ａと一体になっており、また、第２横桟部６４ｂは、支持部１６ｂ、２６ｂに連設されることにより支持部１６ｂ、２６ｂと一体になっているので、包装箱の強度維持を図ることができる。
【００１３】
また、第２には、上記第１の構成において、第３長さと第４長さと第５長さとが、略同一であるとともに、第６長さと第７長さと第８長さとが、略同一であることを特徴とする。よって、第３長さと第４長さと第５長さとを略同一の長さとすることにより、第３側面部の上辺部と、第１縦桟部の側辺部と、第３縦桟部の側辺部とが、展開状態において、同一直線上に位置するように形成され、第６長さと第７長さと第８長さとを略同一の長さとすることにより、第４側面部の上辺部と、第２縦桟部の側辺部と、第４縦桟部の側辺部とが、展開状態において、同一直線上に位置するように形成されていることから、ブランクの全体概形が略方形状となって、ブランクの全体概形が略十文字形の場合に比べ、ブランク形成時に生じる紙材のロスを削減することができる。
【００１４】
また、第３には、上記第１又は第２の構成において、底面部において、第１切込みが直線状で第３折れ線と平行に形成されるとともに、第３切込みが直線状で第４折れ線と平行に形成され、第１切込みと第３折れ線間の長さである第９長さ（Ｈ９）が、第１長さと略同一に形成され、第３切込みと第４折れ線間の長さである第１０長さ（Ｈ１０）が、第１長さと略同一に形成され、第１横桟部が、第１縦桟部の上端領域と第３縦桟部の上端領域に接着されるとともに、第２横桟部が、第２縦桟部の上端領域と４縦桟部の上端領域に接着されていることを特徴とする。よって、第１横桟部の上端の高さと第２横桟部の上端の高さを第１側面部の上端の高さや第２側面部の上端の高さと揃えることができる。
【００１５】
また、第４には、上記第１から第３までのいずれかの構成において、第５切込みが、第１基点から形成された第５切込み第１構成部で、第１折れ線と直角の直線状をなす第５切込み第１構成部（Ｊ７０１）と、第５切込み第１構成部の第１基点とは反対側の端部から連設された第５切込み第２構成部で、第９基点にまで形成された第５切込み第２構成部（Ｊ７０２）と、を有し、第７切込みが、第５基点から形成された第７切込み第１構成部で、第１折れ線と直角の直線状をなす第７切込み第１構成部（Ｋ７０１）と、第７切込み第１構成部の第５基点とは反対側の端部から連設された第７切込み第２構成部で、第１１基点にまで形成された第７切込み第２構成部（Ｋ７０２）と、を有し、第９切込みが、第２基点から形成された第９切込み第１構成部で、第２折れ線と直角の直線状をなす第９切込み第１構成部（Ｊ８０１）と、第９切込み第１構成部の第２基点とは反対側の端部から連設された第９切込み第２構成部で、第１３基点にまで形成された第９切込み第２構成部（Ｊ８０２）と、を有し、第１１切込みが、第６基点から形成された第１１切込み第１構成部で、第２折れ線と直角の直線状をなす第１１切込み第１構成部（Ｋ８０１）と、第１１切込み第１構成部の第６基点とは反対側の端部から連設された第１１切込み第２構成部で、第１５基点にまで形成された第１１切込み第２構成部（Ｋ８０２）と、を有し、包装箱の組立て状態において、第１横桟部第１支持部における第５切込み第１構成部に沿った辺部である第５辺部と、第２横桟部第１支持部における第７切込み第１構成部に沿った辺部である第６辺部と、第１横桟部第２支持部における第９切込み第１構成部に沿った辺部である第７辺部と、第２横桟部第２支持部における第１１切込み第１構成部に沿った辺部である第８辺部とが水平方向に配置され、複数の包装箱を積み重ねた際に、第５辺部と第６辺部と第７辺部と第８辺部により上段側の包装箱の底面本体部が支持されることを特徴とする。
【００１６】
よって、複数の包装箱を積み重ねた際に、第５辺部と第６辺部と第７辺部と第８辺部を上段側の包装箱を支持する台部として使用して、上段側の包装箱を支持することができる。
【００１７】
また、第５には、上記第１から第４までのいずれかの構成において、第１側面部と第１縦桟部間の角部の上端から上方へ突出する第１突出部（７０ａ）と、第１側面部と第２縦差部間の角部の上端から上方へ突出する第２突出部（７０ｂ）と、第２側面部と第３縦桟部間の角部の上端から上方へ突出する第３突出部（７０ｃ）と、第２側面部と第４縦桟部間の角部の上端から上方へ突出する第４突出部（７０ｄ）とが設けられるとともに、第１側面部と第１縦桟部間の角部の下端に形成された第１穴部（６８ａ）と、第１側面部と第２縦差部間の角部の下端に形成された第２穴部（６８ｂ）と、第２側面部と第３縦桟部間の角部の下端に形成された第３穴部（６８ｃ）と、第２側面部と第４縦桟部間の角部の下端に形成された第４穴部（６８ｄ）とが設けられ、複数の包装箱を積み重ねる際、下段側の包装箱に設けられた各突出部が、上段側の包装箱に設けられた各穴部に係合することを特徴とする。
【００１８】
よって、下段側の包装箱に設けられた各突出部を上段側の包装箱に設けられた各穴部に係合させることにより、包装箱を積み重ねることができる。
【００１９】
また、上記第５の構成において以下の構成としてもよい。すなわち、「第１突出部が、第１側面部の上辺部における第１縦桟部側の端部から突出する第１突片部（７０ａ−１）と、第１縦桟部の上辺部における第１側面部側の端部から突出し、第５折れ線の延長線である折れ線を介して第１突片部と連設された第２突片部（７０ａ−２）とを有し、第２突出部が、第１側面部の上辺部における第２縦桟部側の端部から突出する第３突片部（７０ｂ−１）と、第２縦桟部の上辺部における第１側面部側の端部から突出し、第６折れ線の延長線である折れ線を介して第３突片部と連設された第４突片部（７０ｂ−２）とを有し、第３突出部が、第２側面部の上辺部における第３縦桟部側の端部から突出する第５突片部（７０ｃ−１）と、第３縦桟部の上辺部における第２側面部側の端部から突出し、第７折れ線の延長線である折れ線を介して第５突片部と連設された第６突片部（７０ｃ−２）とを有し、第４突出部が、第２側面部の上辺部における第４縦桟部側の端部から突出する第７突片部（７０ｄ−１）と、第４縦桟部の上辺部における第２側面部側の端部から突出し、第８折れ線の延長線である折れ線を介して第７突片部と連設された第８突片部（７０ｄ−２）とを有し、第１穴部が、底面部における第１縦桟部側の隅角部に形成された第１切欠き（６８ａ−１）と、第１切欠きに連設された第２切欠きで、第１側面部の第１隅角部に形成された第２切欠き（６８ａ−２）と、第２切欠きに連設された第３切欠きで、第１縦桟部の下端側における第１側面部側の隅角部に形成された第３切欠き（６８ａ−３）と、第１切欠きに連設された第４切欠きで、第３側面部の第３折れ線側における第１縦桟部側の隅角部に形成された第４切欠き（６８ａ−４）と、を有し、第２穴部が、底面部における第２縦桟部側の隅角部に形成された第５切欠き（６８ｂ−１）と、第５切欠きに連設された第６切欠きで、第１側面部の第２隅角部に形成された第６切欠き（６８ｂ−２）と、第６切欠きに連設された第７切欠きで、第２縦桟部の下端側における第１側面部側の隅角部に形成された第７切欠き（６８ｂ−３）と、第５切欠きに連設された第８切欠きで、第４側面部の第４折れ線側における第２縦桟部側の隅角部に形成された第８切欠き（６８ｂ−４）と、を有し、第３穴部が、底面部における第３縦桟部側の隅角部に形成された第９切欠き（６８ｃ−１）と、第９切欠きに連設された第１０切欠きで、第２側面部の第３隅角部に形成された第１０切欠き（６８ｃ−２）と、第１０切欠きに連設された第１１切欠きで、第３縦桟部の下端側における第２側面部側の隅角部に形成された第１１切欠き（６８ｃ−３）と、第９切欠きに連設された第１２切欠きで、第３側面部の第３折れ線側における第３縦桟部側の隅角部に形成された第１２切欠き（６８ｃ−４）と、を有し、第４穴部が、底面部における第４縦桟部側の隅角部に形成された第１３切欠き（６８ｄ−１）と、第１３切欠きに連設された第１４切欠きで、第２側面部の第４隅角部に形成された第１４切欠き（６８ｄ−２）と、第１４切欠きに連設された第１５切欠きで、第４縦桟部の下端側における第２側面部側の隅角部に形成された第１５切欠き（６８ｄ−３）と、第１３切欠きに連設された第１６切欠きで、第４側面部の第４折れ線側における第４縦桟部側の隅角部に形成された第１６切欠き（６８ｃ−４）と、を有することを特徴とする」ものとしてもよい。
【発明の効果】
【００２０】
本発明に基づく包装箱によれば、第３側面部と、第３側面部の両側端部の一方に立設された第１縦桟部と、他方に立設された第３縦桟部と、底面部の一部分を回動して形成された第１横桟部で、両縦桟部の上端部間に架設された第１横桟部とにより第３側面部側に額縁形状の側面部構造を形成できるとともに、第４側面部と、第４側面部の両側端部の一方に立設された第２縦桟部と、他方に立設された第４縦桟部と、底面部の一部分を回動して形成された第２横桟部で、両縦桟部の上端部間に架設された第２横桟部とにより、第３側面部に相対する第４側面部側に額縁形状の側面部構造を形成できることから、第３側面部及び第４側面部に隣接する第１側面部の高さ方向の長さである第１長さと第１側面部に相対する第２側面部の高さ方向の長さである第２長さとに比べて、第３側面部の高さ方向の長さである第３長さと第４側面部の高さ方向の長さである第６長さとを短くすることができるため、ブランク形成に要する紙材の正味を削減することができ、製造コストを低減することができ、特に、側面部が高く、底の深い包装箱において、ブランク形成に要する紙材の正味を削減することができ、製造コストを低減することができる。また、第３長さ〜第８長さが第１長さよりも短いので、ブランク形成時に生じる紙材のロスを削減することができ、製造コストを低減することができる。
【００２１】
また、第１横桟部６４ａは、支持部１６ａ、２６ａに連設されることにより支持部１６ａ、２６ａと一体になっており、また、第２横桟部６４ｂは、支持部１６ｂ、２６ｂに連設されることにより支持部１６ｂ、２６ｂと一体になっているので、包装箱の強度維持を図ることができる。
【図面の簡単な説明】
【００２２】
【図１】本実施例の包装箱の上方斜視図である。
【図２】本実施例の包装箱の下方斜視図である。
【図３】本実施例の包装箱の展開図である。
【図４】図３の要部拡大図であり、第１側面部側での第１縦桟部側の拡大図である。
【図５】図３の要部拡大図であり、第１側面部側での第２縦桟部側の拡大図である。
【図６】図３の要部拡大図であり、第２側面部側での第３縦桟部側の拡大図である。
【図７】図３の要部拡大図であり、第２側面部側での第４縦桟部側の拡大図である。
【図８】図１のＡ−Ａ断面図である。
【図９】本実施例の包装箱の組立過程における要部拡大断面図である。
【図１０】本実施例の包装箱を積み重ねた状態の斜視図である。
【図１１】従来の包装箱の展開図である。
【発明を実施するための形態】
【００２３】
本発明においては、１枚のシート状のブランクにより形成された包箱箱で、方形状の底面部と、底面部の四方の各辺部から連設された側面部とを有する包装箱において、ブランク形成に要する紙材（ブランク形成に必要な紙材の正味とブランク形成時に生じる紙材ロス）を削減して、トータル製造コストを低減することができる包装箱を提供することを目的とし、特に、側面部の高さ方向の長さが長く、深さが深い包装箱において、ブランク形成に要する紙材を削減して、トータル製造コストを低減することができる包装箱を提供するという目的を以下のようにして実現した。
【００２４】
本実施例の包装箱５は、図３〜図７に示すように、１枚のシート状のブランク（具体的には、段ボール製（例えば、薄型段ボール製）のブランク）により形成され、略方形状に形成された底面部６０と、底面部６０の四方の辺部の１つである第１辺部から第１折れ線Ｃ１０を介して連設された第１側面部１０と、第１辺部に平行に相対している第２辺部から第２折れ線Ｃ２０を介して連設された第２側面部２０と、第１辺部及び第２辺部に対し垂直な第３辺部から第３折れ線Ｃ３０を介して連設された第３側面部３０と、第３辺部に平行に相対している第４辺部から第４折れ線Ｃ４０を介して連設された第４側面部４０と、第１側面部１０の一方の側辺部で、第３側面部３０側の側辺部から第５折れ線Ｃ１２ａを介して延設された第１縦桟部１２ａと、第１側面部１０の他方の側辺部で、第４側面部４０側の側辺部から第６折れ線Ｃ１２ｂを介して延設された第２縦桟部１２ｂと、第２側面部２０の一方の側辺部で、第３側面部３０側の側辺部から第７折れ線Ｃ２２ａを介して延設された第３縦桟部２２ａと、第２側面部２０の他方の側辺部で、第４側面部４０側の側辺部から第８折れ線Ｃ２２ｂを介して延設された第４縦桟部２２ｂと、を有している。
【００２５】
また、図３に示すように、各側面部１０、２０、３０、４０及び、各縦桟部１２ａ、１２ｂ、２２ａ、２２ｂは、略方形状に形成され、展開状態において、第３側面部３０側では、第３折れ線Ｃ３０と、第５折れ線Ｃ１２ａと、第７折れ線Ｃ２２ａとが、同一直線上に位置するように形成されており、また、第４側面部４０側では、第４折れ線Ｃ４０と、第６折れ線Ｃ１２ｂと、第８折れ線Ｃ２２ｂとが、同一直線上に位置するように形成されている。第３折れ線Ｃ３０と第４折れ線Ｃ４０と第５折れ線Ｃ１２ａと第６折れ線Ｃ１２ｂと第７折れ線Ｃ２２ａと第８折れ線Ｃ２２ｂとが、第１折れ線Ｃ１０及び第２折れ線Ｃ２０の方向と直角の方向に形成されている。
【００２６】
また、第１折れ線Ｃ１０と、第１側面部１０の上辺部１４ｃで、第１折れ線Ｃ１０に平行に相対している上辺部１４ｃとの間隔の長さである第１長さＨ１（つまり、第１側面部１０の高さ方向の長さである第１長さＨ１）と、第２折れ線Ｃ２０と、第２側面部２０の上辺部２４ｃで、第２折れ線Ｃ２０に平行に相対している上辺部２４ｃとの間隔の長さである第２長さＨ２（つまり、第２側面部２０の高さ方向の長さである第２長さＨ２）とは、略同一である。
【００２７】
また、第１側面部１０の上辺部１４ｃと、第１縦桟部１２ａの上辺部１３ｃと、第２縦桟部１２ｂの上辺部１５ｃとが、展開状態において、同一直線上に位置するように形成され、第２側面部２０の上辺部２４ｃと、第３縦桟部２２ａの上辺部２３ｃと、第４縦桟部２２ｂの上辺部２５ｃとが、展開状態において、同一直線上に位置するように形成されている。
【００２８】
そして、第３折れ線Ｃ３０と、第３側面部３０の上辺部３２ｃで、第３折れ線Ｃ３０に平行に相対している上辺部３２ｃとの間隔の長さである第３長さＨ３（つまり、第３側面部３０の高さ方向の長さである第３長さＨ３）と、第１縦桟部１２ａの側辺部１３ａで、第５折れ線Ｃ１２ａに平行に相対している側辺部１３ａとの間隔の長さである第４長さＨ４（つまり、第１縦桟部１２ａの横幅方向の長さである第４長さＨ４）と、第３縦桟部２２ａの側辺部２３ａで、第７折れ線Ｃ２２ａに平行に相対している側辺部２３ａとの間隔の長さである第５長さＨ５（つまり、第３縦桟部２２ａの横幅方向の長さである第５長さＨ５）と、第４折れ線Ｃ４０と、第４側面部４０の上辺部４２ｃで、第４折れ線Ｃ４０に平行に相対している上辺部４２ｃとの間隔の長さである第６長さＨ６（つまり、第４側面部４０の高さ方向の長さである第６長さＨ６）と、第２縦桟部１２ｂの側辺部１５ａで、第６折れ線Ｃ１２ｂに平行に相対している側辺部１５ａとの間隔の長さである第７長さＨ７（つまり、第２縦桟部１２ｂの横幅方向の長さである第７長さＨ７）と、第４縦桟部２２ｂの側辺部２５ａで、第８折れ線Ｃ２２ｂに平行に相対している側辺部２５ａとの間隔の長さである第８長さＨ８（つまり、第４縦桟部２２ｂの横幅方向の長さである第８長さＨ８）とは、略同一である。
【００２９】
つまり、第３側面部３０の上辺部３２ｃと、第１縦桟部１２ａの側辺部１３ａと、第３縦桟部２２ａの側辺部２３ａとが、展開状態において、同一直線上に位置するように形成され、第４側面部４０の上辺部４２ｃと、第２縦桟部１２ｂの側辺部１５ａと、第４縦桟部２２ｂの側辺部２５ａとが、展開状態において、同一直線上に位置するように形成されている。
【００３０】
以上のように、ブランクの四方において、各辺部がそれぞれ同一直線上に位置揃えされていることにより、当該ブランクは、方形状の全体概形（概略輪郭）を有している。
【００３１】
なお、第３長さＨ３及び第６長さＨ６は、第１長さＨ１と及び第２長さＨ２より短く、第３長さＨ３及び第６長さＨ６は、第１長さＨ１及び第２長さＨ２の約４割程の長さとなっている。
【００３２】
また、各縦桟部１２ａ、１２ｂ、２２ａ、２２ｂの横幅方向の長さＨ４、Ｈ５、Ｈ７、Ｈ８については、上記のように、基本的には、第３長さＨ３及び第６長さＨ６と略同一の長さであるが、第３長さＨ３及び第６長さＨ６よりさらに短くしてもよい。
【００３３】
ここで、底面部６０は、包装箱５の展開状態では図３〜図７（特に図３）に示すように構成され、その中央部より第３側面部３０側寄りの位置に形成された第１切込みＪ６０と、これよりさらに第３側面部３０側寄りに位置する第２切込みＪ６２と、底面部６０の中央部より第４側面部４０側寄りの位置に形成された第３切込みＫ６０と、これよりさらに第４側面部４０側寄りに位置する第４切込みＫ６２と、を有している。
【００３４】
第１切込みＪ６０は、第１折れ線Ｃ１０上に位置する第１基点Ｐ１０で、第１折れ線Ｃ１０の中点（二等分点）より第３側辺部３０側寄りに位置する第１基点Ｐ１０から、第２折れ線Ｃ２０上に位置する第２基点Ｑ１０で、第１基点Ｐ１０と相対する第２基点Ｑ１０までの間に一直線状に形成され、第１折れ線Ｃ１０及び第２折れ線Ｃ２０と直角をなし、第３折れ線Ｃ３０に対し平行に形成されている。
【００３５】
また、第２切込みＪ６２は、第１折れ線Ｃ１０上に位置する第３基点Ｐ２０で、第１基点Ｐ１０よりさらに第３側面部３０側寄りに位置する第３基点Ｐ２０から、第２折れ線Ｃ２０上に位置する第４基点Ｑ２０で、第３基点Ｐ２０と相対する第４基点Ｑ２０までの間に一直線状に形成され、第１折れ線Ｃ１０及び第２折れ線Ｃ２０と直角をなし、第３折れ線Ｃ３０及び第１切込みＪ６０に対し平行に形成されている。
【００３６】
また、第３切込みＫ６０は、第１折れ線Ｃ１０上に位置する第５基点Ｐ３０で、第１折れ線Ｃ１０の中点より第４側面部４０側寄りに位置する第５基点Ｐ３０から、第２折れ線Ｃ２０上に位置する第６基点Ｑ３０で、第５基点Ｐ３０と相対する第６基点Ｑ３０までの間に一直線状に形成され、第１折れ線Ｃ１０及び第２折れ線Ｃ２０と直角をなし、第４折れ線Ｃ４０に対し平行に形成されている。
【００３７】
また、第４切込みＫ６２は、第１折れ線Ｃ１０上に位置する第７基点Ｐ４０で、第５基点Ｐ３０よりさらに第４側面部４０側寄りに位置する第７基点Ｐ４０から、第２折れ線Ｃ２０上に位置する第８基点Ｑ４０で、第７基点Ｐ４０と相対する第８基点Ｑ４０までの間に一直線状に形成され、第１折れ線Ｃ１０及び第２折れ線Ｃ２０と直角をなし、第４折れ線Ｃ４０及び第３切込みＫ６０に対し平行に形成されている。
【００３８】
なお、第１切込みＪ６０は、第３折れ線Ｃ３０と第１切込みＪ６０との間隔の長さである第９長さＨ９が、第１側面部１０の高さ方向の長さである第１長さＨ１及び第２側面部２０の高さ方向の長さである第２長さＨ２と略同一の長さとなるように形成され、第３切込みＫ６０は、第４折れ線Ｃ４０と第３切込みＫ６０との間隔の長さである第１０長さＨ１０が、第１側面部１０の高さ方向の長さである第１長さＨ１及び第２側面部２０の高さ方向の長さである第２長さＨ２と略同一の長さとなるように形成されている。
【００３９】
このように、底面部６０は、平行する４つの切込みを有することにより、次の５つの領域に分けられている。つまり、底面部６０は、第１切込みＪ６０と、第２切込みＪ６２と、第１折れ線Ｃ１０における第１基点Ｐ１０と第３基点Ｐ２０との間の部分である第１折れ線第１節部Ｃ１０ａ（すなわち、第１折れ線Ｃ１０の一部）と、第２折れ線Ｃ２０における第２基点Ｑ１０と第４基点Ｑ２０との間の部分である第２折れ線第１節部Ｃ２０ａ（すなわち、第２折れ線Ｃ２０の一部）とにより囲まれた第１領域である第１横桟部６４ａと、第３切込みＫ６０と、第４切込みＫ６２と、第１折れ線Ｃ１０における第５基点Ｐ３０と第７基点Ｐ４０との間の部分である第１折れ線第２節部Ｃ１０ｂ（すなわち、第１折れ線Ｃ１０の一部）と、第２折れ線における第６基点Ｑ３０と第８基点Ｑ４０との間の部分である第２折れ線第２節部Ｃ２０ｂ（すなわち、第２折れ線Ｃ２０の一部）とにより囲まれた第２領域である第２横桟部６４ｂと、第３折れ線Ｃ３０と、第２切込みＪ６２ と、第１折れ線Ｃ１０における第３折れ線Ｃ３０側の端部と第３基点Ｐ２０との間の部分である第１折れ線第３節部Ｃ１０ｃと、第２折れ線Ｃ２０における第３折れ線Ｃ３０側の端部と第４基点Ｑ２０との間の部分である第２折れ線第３節部Ｃ２０ｃとにより囲まれた第３領域である第１底面構成部６６ａと、第４折れ線Ｃ４０と、第４切込みＫ６２と、第１折れ線Ｃ１０における第４折れ線Ｃ４０側の端部と第７基点Ｐ４０との間の部分である第１折れ線第４節部Ｃ１０ｄと、第２折れ線Ｃ２０における第４折れ線Ｃ４０側の端部と第８基点Ｑ４０との間の部分である第２折れ線第４節部Ｃ２０ｄとにより囲まれた第４領域である第２底面構成部６６ｂと、第１切込みＪ６０と、第３切込みＫ６０と、第１折れ線Ｃ１０における第１基点Ｐ１０と第５基点Ｐ３０との間の部分である第１折れ線第５節部Ｃ１０ｅと、第２折れ線Ｃ２０における第２基点Ｑ１０と６基点Ｑ３０との間の部分である第２折れ線第５節部Ｃ２０ｅとにより囲まれた第５領域である第３底面構成部６６ｃと、を有している。第１底面構成部６６ａと第２底面構成部６６ｂと第３底面構成部６６ｃとで底面本体部が構成される。
【００４０】
そして、図１、図２に示すように、包装箱５を組み立てた状態では、第３側面部３０側については、第３側面部３０と、第１縦桟部１２ａと、第３縦桟部２２ａと、第１横桟部６４ａとにより形成され、第４側面部４０側については、第４側面部４０と、第２縦桟部１２ｂと、第４縦桟部２２ｂと、第２横桟部６４ｂとにより形成されている。なお、包装箱５を組み立てた状態の詳細については後説する。
【００４１】
また、第１側面部１０は、図３〜図５に示すように、第１側面部１０は、底面部６０内に形成された第１横桟部６４ａに連続している支持部（第１横桟部第１支持部）１６ａと、底面部６０内に形成された第２横桟部６４ｂに連続している支持部（第２横桟第１支持部）１６ｂと、第１側面部１０から支持部１６ａ及び支持部１６ｂを除いた部分である第１側面本体部１４と、を有している。
【００４２】
つまり、第１側面部１０は、その第５折れ線Ｃ１２ａ側（第１縦桟部１２ａ形成側）にあっては、図３、図４に示すように、底面部６０と第１側面部１０との境界である第１折れ線Ｃ１０上に位置する第１基点Ｐ１０から、下記の第１第仮想線上に位置する第９基点Ｒ１０までの間に形成された第５切込みＪ７０で、第１切込みＪ６０に続けて形成された第５切込みＪ７０と、第１折れ線Ｃ１０上に位置する第３基点Ｐ２０から、第１第仮想線上に位置する第１０基点Ｒ２０で、第９基点Ｒ１０より第１折れ線Ｃ１０側寄りで、かつ、第５折れ線Ｃ１２ａ側寄りに位置する第１０基点Ｒ２０までの間に形成された第６切込みＪ７２で、第２切込みＪ６２に続けて形成された第６切込みＪ７２と、第９基点Ｒ１０から第１０基点Ｒ２０までの間に形成された第９折れ線Ｃ６０ａと、を有しており、第５切込みＪ７０と、第６切込みＪ７２と、第９折れ線Ｃ６０ａと、上記の第１折れ線第１節部Ｃ１０ａ（すなわち、第１折れ線Ｃ１０の一部）とにより、これらで囲まれた領域である支持部１６ａが形成されている。
【００４３】
ここで、上記の第１仮想線とは、第１折れ線Ｃ１０上の２点を通って第１折れ線Ｃ１０の長さ方向に延びる直線である第１折れ線方向線と、第３折れ線Ｃ３０上の２点を通って第３折れ線Ｃ３０の長さ方向に延びる直線である第３折れ線方向線との交点（第１交点）の近傍を通り、第１折れ線Ｃ１０の中点側にて、第１折れ線方向線に対し略４５度の角度をなす直線であり、第９折れ線Ｃ６０ａは、この第１仮想線の一部に重なっている。なお、後述するように、第１仮想線が第１交点を通る構成としてもよい。また、第１交点は、第１折れ線方向線と、第５折れ線Ｃ１２ａ上の２点を通って第５折れ線Ｃ１２ａの長さ方向に延びる直線である第５折れ線方向線との交点としてもよい。
【００４４】
なお、第９折れ線Ｃ６０ａは、包装箱５を組み立てる際、支持部１６ａの反転軸となる。こ第１仮想線及び反転の詳細については後説する。
【００４５】
また、第５切込みＪ７０は、第５切込み第１節部Ｊ７０１と、第５切込み第２節部Ｊ７０２ａと、第５切込み第３節部Ｊ７０２ｂと、から形成されている。第５切込み第１節部Ｊ７０１は、第１基点Ｐ１０から、第１切込みＪ６０に続けて形成され、第１折れ線Ｃ１０と直角をなす直線状で、第１切込みＪ６０の延長線上に位置している。第５切込み第２節部Ｊ７０２ａは、第５切込み第１節部Ｊ７０１の端部で、第１基点Ｐ１０側とは反対側の端部から、第５切込み第１節部Ｊ７０１に続けて形成され、第５折れ線Ｃ１２ａの上端部側に屈曲している。第５切込み第３節部Ｊ７０２ｂは、第５切込み第２節部Ｊ７０２ａの端部で、第５切込み第１節部Ｊ７０１側とは反対側の端部から、第５切込み第２節部Ｊ７０２ａに続けて、第９基点Ｒ１０までの間に一直線状に形成されている。
【００４６】
このように、第５切込みＪ７０が形成されることにより、図８に示すように、反転後に、支持部１６ａの第１折れ線第１節部Ｃ１０ａと略直交する辺部７４ａで、第５切込み第１節部Ｊ７０１により形成された辺部（第５辺部）７４ａが、後説する第１突出部７０a の基端部にて略水平に配置され、包装箱５を補強するとともに、包装箱５を積み重ねる際、辺部７４ａにより上段側の包装箱５を支持することができる。第５切込み第１節部Ｊ７０１は第５切込み第１構成部に当たり、第５切込み第２節部Ｊ７０２ａと第５切込み第３節部Ｊ７０２ｂとで第５切込み第２構成部Ｊ７０２を構成する。
【００４７】
また、第９基点Ｒ１０から第１３切込みＪ７０４が形成されている。この第１３切込みＪ７０４は、半円弧形状を有し、一方の端部が第９基点Ｒ１０にて第５切込み第３節部Ｊ７０２ｂに連続し、湾曲頂部が第９基点Ｒ１０側とは反対側に突出し、他方の端部で、第９基点Ｒ１０側とは反対側の端部が第１０基点Ｒ２０側とは反対側（支持部１６ａの外側）に形成されている。つまり、第１３切込みＪ７０４は、第９基点Ｒ１０にて第５切込み第３節部Ｊ７０２ｂに連続してはいるが、第５切込み第３節部Ｊ７０２ｂの長さ方向とは異なる方向に形成されている。
【００４８】
また、第１０基点Ｒ２０から第１４切込みＪ７２１が形成されている。この第１４切込みＪ７２１は、半円弧形状を有し、一方の端部が第１０基点Ｒ２０にて第６切込みＪ７２に連続し、湾曲頂部が第１０基点Ｒ２０側とは反対側に突出し、他方の端部で、第１０基点Ｒ２０側とは反対側の端部が第９基点Ｒ１０側とは反対側（支持部１６ａの外側）に形成されている。つまり、第１４切込みＪ７２１は、第１０基点Ｒ２０にて第６切込みＪ７２に連続してはいるが、第６切込みＪ７２の長さ方向とは異なる方向に形成されている。
【００４９】
このように、第９基点Ｒ１０から第１３切込みＪ７０４が形成されているとともに、第１０基点Ｒ２０から第１４切込みＪ７２１が形成されていることにより、第９基点Ｒ１０及び第１０基点Ｒ２０から裂傷が発生することを防止できる。
【００５０】
つまり、支持部１６ａを反転させる際（図８、図９を参照）には、第９折れ線Ｃ６０ａ側から第１折れ線第１節部Ｃ１０ａ側に向かって支持部１６ａを引っ張る力（張力）が第９折れ線Ｃ６０ａ付近にかかり、特に支持部１６ａの回動角度が９０度を超えると、上記張力の向きが、第９折れ線Ｃ６０ａ付近を第５折れ線Ｃ１２ａの上端部側に引っ張る向きへと変化し、つまり、第９折れ線Ｃ６０ａ付近をめくりあげようとする力が第１側面本体部１４にかかることになるが、第１３切込みＪ７０４が第５切込み第３節部Ｊ７０２ｂの長さ方向とは異なる方向に形成されているとともに、第１４切込みＪ７２１が第６切込みＪ７２の長さ方向とは異なる方向に形成されていることから、第１３切込みＪ７０４の端部で、第９基点Ｒ１０側とは反対側の端部と、第１４切込みＪ７２１の端部で、第１０基点Ｒ２０側とは反対側の端部とに、上記張力がかからない。
【００５１】
さらに、第１３切込みＪ７０４と第１４切込みＪ７２１とが、半円弧形状に形成されていることから、張力の作用点が一箇所に定まることなく、反転途中の支持部１６ａが第１側面本体部１４となす角度や、反転時に伴う僅かなねじれ等による支持部１６ａの姿勢変化によって、張力の作用点が半円弧形状中のいずれかの箇所に変動し、第１側面本体部１４の特定の箇所に負担がかからず、特定箇所から裂けてしまうことが防止される。
【００５２】
また、第６折れ線Ｃ１２ｂ側（第２縦桟部１２ｂ形成側）にあっては、図３、図５に示すように、底面部６０と第１側面部１０との境界である第１折れ線Ｃ１０上に位置する第５基点Ｐ３０から、下記の第２仮想線上に位置する第１１基点Ｒ３０までの間に形成された第７切込みＫ７０で、第３切込みＫ６０に続けて形成された第７切込みＫ７０と、第１折れ線Ｃ１０上に位置する第７基点Ｐ４０から、第２仮想線上に位置する第１２基点Ｒ４０で、第１１基点Ｒ３０より第１折れ線Ｃ１０側寄りで、かつ、第６折れ線Ｃ１２ｂ側寄りに位置する第１２基点Ｒ４０までの間に形成された第８切込みＫ７２で、第４切込みＫ６２に続けて形成された第８切込みＫ７２と、第１１基点Ｒ３０から第１２基点Ｒ４０までの間に形成された第１０折れ線Ｃ６０ｂと、を有しており、第７切込みＫ７０と、第８切込みＫ７２と、第１０折れ線Ｃ６０ｂと、上記の第１折れ線第２節部Ｃ１０ｂ（すなわち、第１折れ線Ｃ１０の一部）とにより、これらで囲まれた領域である支持部１６ｂが形成されている。
【００５３】
ここで、上記の第２仮想線とは、上記の第１折れ線方向線と、第４折れ線Ｃ４０上の２点を通って第４折れ線Ｃ４０の長さ方向に延びる直線である第４折れ線方向線との交点（第２交点）の近傍を通り、第１折れ線Ｃ１０の中点側にて、第１折れ線方向線に対し略４５度の角度をなす直線であり、第１０折れ線Ｃ６０ｂは、この第２仮想線の一部に重なっている。なお、後述するように、第２仮想線が第２交点を通る構成としてもよい。また、第２交点は、第１折れ線方向線と、第６折れ線Ｃ１２ｂ上の２点を通って第６折れ線Ｃ１２ｂの長さ方向に延びる直線である第６折れ線方向線との交点としてもよい。
【００５４】
なお、第１０折れ線Ｃ６０ｂは、包装箱５を組み立てる際、支持部１６ｂの反転軸となる。この第２仮想線及び反転の詳細については後説する。
【００５５】
また、第７切込みＫ７０は、第７切込み第１節部Ｋ７０１と、第７切込み第２節部Ｋ７０２ａと、第７切込み第３節部Ｋ７０２ｂと、から形成されている。第７切込み第１節部Ｋ７０１は、第５基点Ｐ３０から、第３切込みＫ６０に続けて形成され、第１折れ線Ｃ１０と直角をなす直線状で、第３切込みＫ６０の延長線上に位置している。第７切込み第２節部Ｋ７０２ａは、第７切込み第１節部Ｋ７０１の端部で、第５基点Ｐ３０側とは反対側の端部から、第７切込み第１節部Ｋ７０１に続けて形成され、第６折れ線Ｃ１２ｂの上部側に屈曲している。第７切込み第３節部Ｋ７０２ｂは、第７切込み第２節部Ｋ７０２ａの端部で、第７切込み第１節部Ｋ７０１側とは反対側の端部から、第１１基点Ｒ３０までの間に一直線状に形成されている。
【００５６】
このように、第７切込みＫ７０が形成されることにより、図８に示すように、反転後に、支持部１６ｂの第１折れ線第２節部Ｃ１０ｂと略直交する辺部７４ｂで、第７切込み第１節部Ｋ７０１により形成された辺部７４ｂが、後説する第２突出部７０ｂの基端部にて略水平に配置され、包装箱５を補強するとともに、包装箱５を積み重ねる際、辺部（第６辺部）７４ｂにより上段側の包装箱５を支持することができる。第７切込み第１節部Ｋ７０１は第７切込み第１構成部に当たり、第７切込み第２節部Ｋ７０２ａと第７切込み第３節部Ｋ７０２ｂとで第７切込み第２構成部Ｋ７０２を構成する。
【００５７】
また、第１１基点Ｒ３０から第１５切込みＫ７０４が形成されている。この第１５切込みＫ７０４は、半円弧形状を有し、一方の端部が第１１基点Ｒ３０にて第７切込みＫ７０に連続し、湾曲頂部が第１１基点Ｒ３０側とは反対側に突出し、他方の端部で、第１１基点Ｒ３０側とは反対側の端部が第１２基点Ｒ４０側とは反対側（支持部１６ｂの外側）に形成されている。つまり、第１５切込みＫ７０４は、第１１基点Ｒ３０にて第７切込み第３節部Ｋ７０２ｂに連続してはいるが、第７切込み第３節部Ｋ７０２ｂの長さ方向とは異なる方向に形成されている。
【００５８】
また、第１２基点Ｒ４０から第１６切込みＫ７２１が形成されている。この第１６切込みＫ７２１は、半円弧形状を有し、一方の端部が第１２基点Ｒ４０にて第８切込みＫ７２に連続し、湾曲頂部が第１２基点Ｒ４０側とは反対側に突出し、他方の端部で、第１２基点Ｒ４０側とは反対側の端部が第１１基点Ｒ３０側とは反対側（支持部１６ｂの外側）に形成されている。つまり、第１６切込みＫ７２１は、第１２基点Ｒ４０にて第８切込みＫ７２に連続してはいるが、第８切込みＫ７２の長さ方向とは異なる方向に形成されている。
【００５９】
このように、第１１基点Ｒ３０から第１５切込みＫ７０４が形成されているとともに、第１２基点Ｒ４０から第１６切込みＫ７２１が形成されていることにより、第１１基点Ｒ３０及び第１２基点Ｒ４０から裂傷が発生することを防止できる。
【００６０】
つまり、支持部１６ｂを反転させる際には、第１０折れ線Ｃ６０ｂ側から第１折れ線第２節部Ｃ１０ｂ側に向かって支持部１６ｂを引っ張る力（張力）が第１０折れ線Ｃ６０ｂ付近にかかるが、先に説明した支持部１６ａの場合と同様の理由により、第１側面本体部１４の特定の箇所に負担がかからず、特定箇所から裂けてしまうことが防止される。
【００６１】
また、第２側面部２０は、図３、図６、図７に示すように、第２側面部２０は、第１側面部１０と対称に形成され、底面部６０内に形成された第１横桟部６４ａに連続している支持部（第１横桟部第２支持部）２６ａと、底面部６０内に形成された第２横桟部６４ｂに連続している支持部（第２横桟第２支持部）２６ｂと、第２側面部２０から支持部２６ａ及び支持部２６ｂを除いた部分である第２側面本体部２４と、を有している。
【００６２】
つまり、第２側面部２０は、その第７折れ線Ｃ２２ａ側（第３縦桟部２２ａ形成側）にあっては、図３、図６に示すように、底面部６０と第２側面部２０との境界である第２折れ線Ｃ２０上に位置する第２基点Ｑ１０から、下記の第３仮想線上に位置する第１３基点Ｓ１０までの間に形成された第９切込みＪ８０で、第１切込みＪ６０に続けて形成された第９切込みＪ８０と、第２折れ線Ｃ２０上に位置する第４基点Ｑ２０から、第３仮想線上に位置する第１４基点Ｓ２０で、第１３基点Ｓ１０より第２折れ線Ｃ２０側寄りで、かつ、第７折れ線Ｃ２２ａ側寄りに位置する第１４基点Ｓ２０までの間に形成された第１０切込みＪ８２で、第２切込みＪ６２に続けて形成された第１０切込みＪ８２と、第１３基点Ｓ１０から第１４基点Ｓ２０までの間に形成された第１１折れ線Ｃ７０ａと、を有しており、第９切込みＪ８０と、第１０切込みＪ８２と、第１１折れ線Ｃ７０ａと、上記の第２折れ線第１節部Ｃ２０ａ（すなわち、第２折れ線Ｃ２０の一部）とにより、これらで囲まれた領域である支持部２６ａが形成されている。
【００６３】
ここで、上記の第３仮想線とは、第２折れ線Ｃ２０上の２点を通って第２折れ線Ｃ２０の長さ方向に延びる直線である第２折れ線方向線と、第３折れ線Ｃ３０上の２点を通って第３折れ線Ｃ３０の長さ方向に延びる直線である第３折れ線方向線との交点（第３交点）の近傍を通り、第２折れ線Ｃ２０の中点側にて、第２折れ線方向線に対し略４５度の角度をなす直線であり、第１１折れ線Ｃ７０ａは、この第３仮想線の一部に重なっている。なお、後述するように、第３仮想線が第３交点を通る構成としてもよい。また、第３交点は、第２折れ線方向線と、第７折れ線Ｃ２２ａ上の２点を通って第７折れ線Ｃ２２ａの長さ方向に延びる直線である第７折れ線方向線との交点としてもよい。
【００６４】
なお、第１１折れ線Ｃ７０ａは、包装箱５を組み立てる際、支持部２６ａの反転軸となる。この第３仮想線及び反転の詳細については後説する。
【００６５】
また、第９切込みＪ８０は、第９切込み第１節部Ｊ８０１と、第９切込み第２節部Ｊ８０２ａと、第９切込み第３節部Ｊ８０２ｂと、から形成されている。第９切込み第１節部Ｊ８０１は、第２基点Ｑ１０から、第１切込みＪ６０に続けて形成され、第２折れ線Ｃ２０と直角をなす直線状で、第１切込みＪ６０の延長線上に位置している。第９切込み第２節部Ｊ８０２ａは、第９切込み第１節部Ｊ８０１の端部で、第２基点Ｑ１０側とは反対側の端部から、第９切込み第１節部Ｊ８０１に続けて形成され、第７折れ線Ｃ２２ａの上部側に屈曲している。第９切込み第３節部Ｊ８０２ｂは、第９切込み第２節部Ｊ８０２ａの端部で、第９切込み第１節部Ｊ８０１側とは反対側の端部から、第９切込み第２節部Ｊ８０２ａに続けて、第１３基点Ｓ１０までの間に一直線状に形成されている。
【００６６】
また、第１３基点Ｓ１０から第１７切込みＪ８０４が形成されている。この第１７切込みＪ８０４は、半円弧形状を有し、一方の端部が第１３基点Ｓ１０にて第９切込み第３節部Ｊ８０２ｂに連続し、湾曲頂部が第１３基点Ｓ１０側とは反対側に突出し、他方の端部で、第１３基点Ｓ１０側とは反対側の端部が第１４基点Ｓ２０側とは反対側（支持部２６ａの外側）に形成されている。つまり、第１７切込みＪ８０４は、第１３基点Ｓ１０にて第９切込み第３節部Ｊ８０２ｂに連続してはいるが、第９切込み第３節部Ｊ８０２ｂの長さ方向とは異なる方向に形成されている。
【００６７】
このように、第５切込みＪ８０が形成されることにより、上記支持部１６ａの場合と同様に、反転後に、支持部２６ａの第２折れ線第１節部Ｃ２０ａと略直交する辺部７４ｃで、第９切込み第１節部Ｊ８０１により形成された辺部７４ｃが、後説する第３突出部７０ｃの基端部にて略水平に配置され、包装箱５を補強するとともに、包装箱５を積み重ねる際、辺部（第７辺部）７４ｃにより上段側の包装箱５を支持することができる。第９切込み第１節部Ｊ８０１は第９切込み第１構成部に当たり、第９切込み第２節部Ｊ８０２ａと第９切込み第３節部Ｊ８０２ｂとで第９切込み第２構成部Ｊ８０２を構成する。
【００６８】
また、第１４基点Ｓ２０から第１８切込みＪ８２１が形成されている。この第１８切込みＪ８２１は、半円弧形状を有し、一方の端部が第１４基点Ｓ２０にて第１０切込みＪ８２に連続し、湾曲頂部が第１４基点Ｓ２０側とは反対側に突出し、他方の端部で、第１４基点Ｓ２０側とは反対側の端部が第１３基点Ｓ１０側とは反対側（支持部２６ａの外側）に形成されている。つまり、第１８切込みＪ８２１は、第１４基点Ｓ２０にて第１０切込みＪ８２に連続してはいるが、第１０切込みＪ８２の長さ方向とは異なる方向に形成されている。
【００６９】
このように、第１３基点Ｓ１０から第１７切込みＪ８０４が形成されているとともに、第１４基点Ｓ２０から第１８切込みＪ８２１が形成されていることにより、第１３基点Ｓ１０及び第１４基点Ｓ２０から裂傷が発生することを防止できる。
【００７０】
つまり、第１横桟部第２支持部２６ｂを反転させる際には、第１１折れ線Ｃ７０ａ側から第２折れ線第１節部Ｃ２０ａ側に向かって支持部２６ａを引っ張る力（張力）が第１１折れ線Ｃ７０ａ付近にかかるが、先に説明した支持部１６ａの場合と同様の理由により、第２側面本体部２４の特定の箇所に負担がかからず、特定箇所から裂けてしまうことが防止される。
【００７１】
また、第８折れ線Ｃ２２ｂ側（第４縦桟部２２ｂ形成側）にあっては、図３、図７に示すように、底面部６０と第２側面部２０との境界である第２折れ線Ｃ２０上に位置する第６基点Ｑ３０から、下記第４仮想線上に位置する第１５基点Ｓ３０までの間に形成された第１１切込みＫ８０で、第３切込みＫ６０に続けて形成された第１１切込みＫ８０と、第２折れ線Ｃ２０上に位置する第８基点Ｑ４０から、下記の第４仮想線上に位置する第１６基点Ｓ４０で、第１５基点Ｓ３０より第２折れ線Ｃ２０側寄りで、かつ、第８折れ線Ｃ２２ｂ側寄り位置する第１６基点Ｓ４０までの間に形成された第１２切込みＫ８２で、第４切込みＫ６２に続けて形成された第１２切込みＫ８２と、第１５基点Ｓ３０から第１６基点Ｓ４０までの間に形成された第１２折れ線Ｃ７０ｂと、を有しており、第１１切込みＫ８０と、第１２切込みＫ８２と、第１２折れ線Ｃ７０ｂと、上記の第２折れ線第２節部Ｃ２０ｂ（すなわち、第２折れ線Ｃ２０の一部）とにより、これらで囲まれた領域である支持部２６ｂが形成されている。
【００７２】
ここで、上記の第４仮想線とは、上記の第２折れ線方向線と、第４折れ線Ｃ４０上の２点を通って第４折れ線Ｃ４０の長さ方向に延びる直線である第４折れ線方向線との交点（第４交点）の近傍を通り、第２折れ線Ｃ２０の中点側にて、第２折れ線方向線に対し略４５度の角度をなす直線であり、第１２折れ線Ｃ７０ｂは、この第４仮想線の一部に重なっている。なお、後述するように、第４仮想線が第４交点を通る構成としてもよい。また、第４交点は、第１折れ線方向線と、第８折れ線Ｃ２２ｂ上の２点を通って第８折れ線Ｃ２２ｂの長さ方向に延びる直線である第８折れ線方向線との交点としてもよい。
【００７３】
なお、第１２折れ線Ｃ７０ｂは、包装箱５を組み立てる際、支持部２６ｂの反転軸となる。この第４仮想線及び反転の詳細については後説する。
【００７４】
また、第１１切込みＫ８０は、第１１切込み第１節部Ｋ８０１と、第１１切込み第２節部Ｋ８０２ａと、第１１切込み第３節部Ｋ８０２ｂと、から形成されている。第１１切込み第１節部Ｋ８０１は、第６基点Ｑ３０から、第３切込みＫ６０に続けて形成され、第２折れ線Ｃ２０と直角をなす直線状で、第３切込みＫ６０の延長線上に位置している。第１１切込み第２節部Ｋ８０２ａは、第１１切込み第１節部Ｋ８０１の端部で、第６基点Ｑ３０側とは反対側の端部から、第１１切込み第１節部Ｋ８０１に続けて形成され、第８折れ線Ｃ２２ｂの上部側に屈曲している。第１１切込み第３節部Ｋ８０２ｂは、第１１切込み第２節部Ｋ８０２ａの端部で、第１１切込み第１節部Ｋ８０１側とは反対側の端部から、第１１切込み第２節部Ｋ８０２ａに続けて、第１５基点Ｓ３０までの間に一直線状に形成されている。
【００７５】
このように、第１１切込みＫ８０が形成されることにより、上記支持部１６ｂの場合と同様に、反転後に、支持部２６ｂの第２折れ線第２節部Ｃ１０ｂと略直交する辺部７４ｄで、第７切込み第１節部Ｋ７０１により形成された辺部７４ｂが、後説する第４突出部７０ｄの基端部にて略水平に配置され、包装箱５を補強するとともに、包装箱５を積み重ねる際、辺部（第８辺部）７４ｄにより上段側の包装箱５を支持することができる。第１１切込み第１節部Ｋ８０１は第１１切込み第１構成部に当たり、第１１切込み第２節部Ｋ８０２ａと第１１切込み第３節部Ｋ８０２ｂとで第１１切込み第２構成部Ｋ８０２を構成する。
【００７６】
また、第１５基点Ｓ３０から第１９切込みＫ８０４が形成されている。この第１９切込みＫ８０４は、半円弧形状を有し、一方の端部が第１５基点Ｓ３０にて第１１切込みＫ８０に連続し、湾曲頂部が第１５基点Ｓ３０側とは反対側に突出し、他方の端部で、第１５基点Ｓ３０側とは反対側の端部が第１６基点Ｓ４０側とは反対側（支持部２６ｂの外側）に形成されている。つまり、第１９切込みＫ８０４は、第１５基点Ｓ３０にて第１１切込みＫ８０に連続してはいるが、第１１切込みＫ８０の長さ方向とは異なる方向に形成されている。
【００７７】
また、第１６基点Ｓ４０から第２０切込みＫ８２１が形成されている。この第２０切込みＫ８２１は、半円弧形状を有し、一方の端部が第１６点Ｓ４０にて第１２切込みＫ８２に連続し、湾曲頂部が第１６基点Ｓ４０側とは反対側に突出し、他方の端部で、第１６基点Ｓ４０側とは反対側の端部が第１５基点Ｓ３０側とは反対側（支持部２６ｂの外側）に形成されている。つまり、第２０切込みＫ８２１は、第１６基点Ｓ４０にて第１２切込みＫ８２に連続してはいるが、第１２切込みＫ８２の長さ方向とは異なる方向に形成されている。
【００７８】
このように、第１５基点Ｓ３０から第１９切込みＫ８０４が形成されているとともに、第１６基点Ｓ４０から第２０切込みＫ８２１が形成されていることにより、第１５基点Ｓ３０及び第１６基点Ｓ４０から裂傷が発生することを防止できる。
【００７９】
つまり、支持部２６ｂを反転させる際には、第１２折れ線Ｃ７０ｂ側から第２折れ線第２節部Ｃ２０ｂ側に向かって支持部２６ｂを引っ張る力（張力）が第１２折れ線Ｃ７０ｂ付近にかかるが、先に説明した支持部１６ａの場合と同様の理由により、第１側面本体部２４の特定の箇所に負担がかからず、特定箇所から裂けてしまうことが防止される。
【００８０】
また、図１、図２、図１０に示すように、包装箱５は、その下端部に形成された、第１穴部６８ａと、第２穴部６８ｂと、第３穴部６８ｃと、第４穴部６８ｄと、上端部に形成された、第１突出部７０ａと、第２突出部７０ｂと、第３突出部７０ｃと、第４突出部７０ｄと、を有し、複数の包装箱５を積み重ねる際、下段側の包装箱５が有する各突出部７０ａ、７０ｂ、７０ｃ、７０ｄが、上段側の包装箱５が有する各穴部６８ａ、６８ｂ、６８ｃ、６８ｄに係合し、上下段の包装箱５の位置ずれが防止される。
【００８１】
つまり、第１穴部６８ａは、図１、図２、図１０に示すように、包装箱５の第１稜角部９０ａで、第５折れ線Ｃ１２ａにてブランクを折り曲げることにより、第１側面部１０と第１縦桟部１２ａとが略９０度の角度（内側での角度）をなして形成された角部である第１稜角部９０ａの下端部に形成され、図３、図４に示すように、底面部６０における第１縦桟部１２ａ側の角部をその輪郭に沿って鉤状に切除することにより、底面部６０の内隅部に形成された切欠き６８ａ−１と、切欠き６８ａ−１に連設された切欠き６８ａ−２で、第１側面部１０における底面部６０側で第１縦桟部１２ａ側の角部を扇形に切除することにより、第１側面部１０の内隅部に形成された切欠き６８ａ−２と、切欠き６８ａ−２に連設された切欠き６８ａ−３で、第１縦桟部１２ａにおける底面部６０側で第１側面部１０側の角部を扇形に切除することにより、第１縦桟部１２ａの内隅部に形成された切欠き６８ａ−３と、底面部６０の切欠き６８ａ−１に連設された切欠き６８ａ−４で、第３側面部３０における底面部６０側で第１縦桟部１２ａ側の角部を扇形に切除することにより、第３側面部３０の内隅部に形成された切欠き６８ａ−４と、から形成されている。
【００８２】
また、第２穴部６８ｂは、図１、図２、図１０に示すように、包装箱５の第２稜角部で、第６折れ線Ｃ１２ｂにてブランクを折り曲げることにより、第１側面部１０と第２縦桟部１２ｂとが略９０度の角度（内側での角度）をなして形成された角部である第２稜角部の下端部に形成され、図３、図５に示すように、底面部６０における第２縦桟部１２ｂ側の角部をその輪郭に沿って鉤状に切除することにより、底面部６０の内隅部に形成された切欠き６８ｂ−１と、切欠き６８ｂ−１に連設された切欠き６８ｂ−２で、第１側面部１０における底面部６０側で第２縦桟部１２ｂ側の角部を扇形に切除することにより、第１側面部１０の内隅部に形成された切欠き６８ｂ−２と、切欠き６８ｂ−２に連設された切欠き６８ｂ−３で、第２縦桟部１２ｂにおける底面部６０側で第１側面部１０側の角部を扇形に切除することにより、第２縦桟部１２ｂの内隅部に形成された切欠き６８ａ−３と、底面部６０の切欠き６８ｂ−１に連設された切欠き６８ｂ−４で、第４側面部４０における底面部６０側で第２縦桟部１２ｂ側の角部を扇形に切除することにより、第４側面部４０の内隅部に形成された切欠き６８ｂ−４と、から形成されている。
【００８３】
また、第３穴部６８ｃは、図１、図２、図１０に示すように、包装箱５の第３稜角部９０ｃで、第７折れ線Ｃ２２ａにてブランクを折り曲げることにより、第２側面部２０と第３縦桟部２２ａとが略９０度の角度（内側での角度）をなして形成された角部である第３稜角部９０ｃの下端部に形成され、図３、図６に示すように、底面部６０における第３縦桟部２２ａ側の角部をその輪郭に沿って鉤状に切除することにより、底面部６０の内隅部に形成された切欠き６８ｃ−１と、切欠き６８ｃ−１に連設された切欠き６８ｃ−２で、第２側面部２０における底面部６０側で第３縦桟部２２ａ側の角部を扇形に切除することにより、第２側面部２０の内隅部に形成された切欠き６８ｃ−２と、切欠き６８ｃ−２に連設された切欠き６８ｃ−３で、第３縦桟部２２ａにおける底面部６０側で第２側面部２０側の角部を扇形に切除することにより、第３縦桟部２２ａの内隅部に形成された切欠き６８ｃ−３と、底面部６０の切欠き６８ｃ−１に連設された切欠き６８ｃ−４で、第３側面部３０における底面部６０側で第３縦桟部２２ａ側の角部を扇形に切除することにより、第３側面部３０の内隅部に形成された切欠き６８ｃ−４と、から形成されている。
【００８４】
また、第４穴部６８ｄは、図１、図２、図１０に示すように、包装箱５の第４稜角部９０ｄで、第８折れ線Ｃ２２ｂにてブランクを折り曲げることにより、第２側面部２０と第４縦桟部２２ｂとが略９０度の角度（内側での角度）をなして形成された角部である第４稜角部９０ｄの下端部に形成され、図３、図７に示すように、底面部６０における第４縦桟部２２ｂ側の角部をその輪郭に沿って鉤状に切除することにより、底面部６０の内隅部に形成された切欠き６８ｄ−１と、切欠き６８ｄ−１に連設された切欠き６８ｄ−２で、第２側面部２０における底面部６０側で第４縦桟部２２ｄ側の角部を扇形に切除することにより、第２側面部２０の内隅部に形成された切欠き６８ｄ−２と、切欠き６８ｄ−２に連設された切欠き６８ｄ−３で、第４縦桟部２２ｂにおける底面部６０側で第２側面部２０側の角部を扇形に切除することにより、第４縦桟部２２ｂの内隅部に形成された切欠き６８ｄ−３と、底面部６０の切欠き６８ｄ−１に連設された切欠き６８ｄ−４で、第４側面部４０における底面部６０側で第４縦桟部２２ｂ側の角部を扇形に切除することにより、第４側面部４０の内隅部に形成された切欠き６８ｄ−４と、から形成されている。
【００８５】
一方、第１突出部７０aは、図１、図２、図１０に示すように、第１稜角部９０ａの上端部に形成され、図３、図４に示すように、第１側面部１０の上辺部１４ｃにおける第１縦桟部１２ａ側の端部から上方（第１折れ線１０側とは反対側）へ突出する第１突片部７０a−１と、第１縦桟部１２ａの上辺部１３ｃにおける第１側面部１０側の端部から上方へ突出する第２突片部７０a−２と、第５折れ線Ｃ１２ａの上端部から延長された折れ線で、第１突片部７０a−１と第２突片部７０a−２との間に介在する折れ線である第５折れ線延長部Ｃ７０a−３と、から形成されている。
【００８６】
また、第２突出部７０ｂは、図１、図２、図１０に示すように、第２稜角部９０ｂの上端部に形成され、図３、図５に示すように、上辺部１４ｃにおける第２縦桟部１２ｂ側の端部から上方へ突出する第３突片部７０ｂ−１と、第２縦桟部１２ｂの上辺部１５ｃにおける第１側面部１０側の端部から上方へ突出する第４突片部７０ｂ−２と、第６折れ線Ｃ１２ｂの上端部から延長された折れ線で、第３突片部７０ｂ−１と第４突片部７０ｂ−２の間に介在する折れ線である第６折れ線延長部Ｃ７０ｂ−３と、から形成されている。
【００８７】
また、第３突出部７０ｃは、図１、図２、図１０に示すように、第３稜角部９０ｃの上端部に形成され、図３、図６に示すように、第２側面部２０の上辺部２４ｃにおける第３縦桟部２２ａ側の端部から上方（第２折れ線２０側とは反対側）へ突出する第５突片部７０ｃ−１と、第３縦桟部２２ａの上辺部２３ｃにおける第２側面部２０側の端部から上方へ突出する第６突片部７０ｃ−２と、第７折れ線Ｃ２２ａの上端部から延長された折れ線で、第５突片部７０ｃ−１と第６突片部７０ｃ−２との間に介在する折れ線である第７折れ線延長部Ｃ７０ｃ−３と、から形成されている。
【００８８】
また、第４突出部７０ｄは、図１、図２、図１０に示すように、第４稜角部９０ｄの上端部に形成され、図３、図７に示すように、上辺部２４ｃにおける第４縦桟部２２ｂ側の端部から上方へ突出する第７突片部７０ｄ−１と、第４縦桟部２２ｂの上辺部２５ｃにおける第２側面部２０側の端部から上方へ突出する第８突片部７０ｄ−２と、第８折れ線Ｃ２２ｂの上端部から延長された折れ線で、第７突片部７０ｄ−１と第８突片部７０ｄ−２の間に介在する折れ線である第８折れ線延長部Ｃ７０ｄ−３と、から形成されている。
【００８９】
このように、各稜角部９０ａ、９０ｂ、９０ｃ、９０ｄの上部側に各突出部７０ａ、７０ｂ、７０ｃ、７０ｄを形成し、各突出部７０ａ、７０ｂ、７０ｃ、７０ｄに設けた折れ線延長部Ｃ７０a−３、Ｃ７０ｂ−３、Ｃ７０ｃ−３、Ｃ７０ｄ−３にて各突出部７０ａ、７０ｂ、７０ｃ、７０ｄを折り曲げることにより、各突出部７０ａ、７０ｂ、７０ｃ、７０ｄの水平断面を鉤状にすることができ、これにより、各突出部７０ａ、７０ｂ、７０ｃ、７０ｄの抗折強度を確保し、複数の包装箱５を積み重ねる際、下段側の包装箱５が有する各突出部７０ａ、７０ｂ、７０ｃ、７０ｄを上段側の包装箱５が有する各穴部６８ａ、６８ｂ、６８ｃ、６８ｄに係合させることによる包装箱５の位置ずれ防止をより確実なものとすることができる。
【００９０】
次に、包装箱５を組み立てた状態について説明する。図１〜図７（包装箱の状態については、主に図１、図２を参照、各折れ線の位置等については、主に図３〜図７を参照）に示すように、底面部６０と第１側面部１０との間の第１折れ線Ｃ１０のうち、第１折れ線第１節部Ｃ１０ａと第１折れ線第２節部Ｃ１０ｂとを除く部分（つまり、第１折れ線第３節部Ｃ１０ｃと、第１折れ線第４節部Ｃ１０ｄと、第１折れ線第５節部Ｃ１０ｅ）にて、ブランクを折り曲げる（底面部６０の内側の面側からみて谷折りする）ことにより、第１側面部１０が底面部６０に対し略垂直に立設され、また、底面部６０と第２側面部２０との間の第２折れ線Ｃ２０のうち、第２折れ線第１節部Ｃ２０ａと第２折れ線第２節部Ｃ２０ｂとを除く部分（つまり、第２折れ線第３節部Ｃ２０ｃと、第２折れ線第４節部Ｃ２０ｄと、第２折れ線第５節部Ｃ２０ｅ）にて、谷折りすることにより、第２側面部２０が底面部６０に対し略垂直に立設されている。
【００９１】
また、底面部６０と第３側面部３０との間の第３折れ線Ｃ３０にて、谷折りすることにより、第３側面部３０が底面部６０に対し略垂直に立設され、底面部６０と第４側面部４０との間の第４折れ線Ｃ４０にて、谷折りすることにより、第４側面部４０が底面部６０に対し略垂直に立設されている。
【００９２】
また、第１側面部１０では、その両側の折れ線Ｃ１２ａ、Ｃ１２ｂにて、谷折りすることにより、第１側面部１０と、縦桟部１２ａ、１２ｂとが略直角をなして、底面部６０に対し略垂直な稜角部９０ａ、９０ｂが形成され、稜角部９０ａ、９０ｂの上部側では、突出部７０ａ、７０ｂが包装箱５の開口より上方に突出しており、第１稜角部９０ａの下部側では、第１縦桟部１２ａの内側の面が、立設状態の第３側面部３０における第１縦桟部１２ａ側での外側の面に重合され、第２稜角部９０ｂの下部側では、第２縦桟部１２ｂの内側の面が、立設状態の第４側面部４０における第２縦桟部１２ｂ側での外側の面に重合されている。
【００９３】
また、第２側面部２０では、第１側面部１０側と同様に、第２側面部２０と、その両側の縦桟部２２ａ、２２ｂとにより、稜角部９０ｃ、９０ｄが形成され、稜角部９０ｃ、９０ｄの上部側では、突出部７０ｃ、７０ｄが包装箱５の開口より上方に突出しており、第３稜角部９０ｃの下部側では、第３縦桟部２２ａの内側の面が、立設状態の第３側面部３０における第３縦桟部２２ａ側での外側の面に重合され、第４稜角部９０ｄの下部側では、第４縦桟部２２ｂの内側の面が、立設状態の第４側面部４０における第４縦桟部２２ｂ側での外側の面に重合されている。
【００９４】
また、第１側面部１０での第３側面部３０側の第９折れ線Ｃ６０ａと、第２側面部２０での第３側面部３０側の第１１折れ線Ｃ７０ａにて、谷折りするとともに、第１側面部１０側の第１折れ線第１節部Ｃ１０ａと、第２側面部２０側の第２折れ線第１節部Ｃ２０ａにて、山折りすることにより、底面部６０から抜き出された第１横桟部６４ａが第３側面部３０側に回動し、立設状態の第３側面部３０の上方にて、第１側面部１０から抜き出された支持部１６ａと、第２側面部２０から抜き出された支持部２６ａとにより支持されている。
【００９５】
つまり、図３、図４、図８、図９に示すように、支持部１６ａは、第９折れ線Ｃ６０ａにて、谷折りするとともに、第１折れ線第１節部Ｃ１０ａにて、山折りすることにより、第９折れ線Ｃ６０ａを軸とし、ブランク状態における支持部１６ａの元の位置（第１側面本体部１４内に収まっている状態での位置）から第５折れ線Ｃ１２ａの上端部側（つまり、第１縦桟部１２ａの上端部側）へ略１８０度回動して反転する。
【００９６】
この時、第２側面部２０側では、支持部２６ａが、第１側面部１０側での支持部１６ａと同様に動作し反転する。
【００９７】
つまり、支持部２６ａは、第１１折れ線Ｃ７０ａを谷折りするとともに、第２折れ線第１節部Ｃ２０ａを山折りすることにより、第１１折れ線Ｃ７０ａを軸とし、ブランク状態における支持部２６ａの元の位置（第２側面本体部２４内に収まっている状態での位置）から第７折れ線Ｃ２２ａの上端部側（つまり、第３縦桟部２２ａの上端部側）へ略１８０度回動して反転する。
【００９８】
ここで、第１横桟部６４ａは、第１切込みＪ６０と、第２切込みＪ６２と、第１折れ線第１節部Ｃ１０ａと、第２折れ線第１節部Ｃ２０ａとにより囲まれた領域であり、支持部１６ａは、第１切込みＪ６０に続けて形成された第５切込みＪ７０と、第２切込みＪ６２に続けて形成された第６切込みＪ７２と、第９折れ線Ｃ６０ａと、第１折れ線第１節部Ｃ１０ａとにより囲まれた領域であり、支持部２６ａは、第１切込みＪ６０に続けて形成された第９切込みＪ８０と、第２切込みＪ６２に続けて形成された第１０切込みＪ８２と、第１１折れ線Ｃ７０ａと、第２折れ線第１節部Ｃ２０ａとにより囲まれた領域であり、つまり、第１横桟部６４ａと、支持部１６ａとは、第１折れ線第１節部Ｃ１０ａを介して連続しており、また、第１横桟部６４ａと、支持部２６ａとは、第２折れ線第１節部Ｃ２０ａを介して連続しており、第１横桟部６４ａと、支持部１６ａと、支持部２６ａとは、一体のものである。
【００９９】
このように、支持部１６ａ及び支持部２６ａと一体の第１横桟部６４ａは、支持部１６ａと支持部２６ａとが反転することにより、これらに連動して第３側面部３０側へ略９０度回動し、第３側面部３０の上方にて、第３側面部３０に対し略平行に配置され、第１横桟部６４ａの第１折れ線第１節部Ｃ１０ａ側は、支持部１６ａにより持され、第１横桟部６４ａの第２折れ線第１節部Ｃ２０ａ側は、支持部２６ａにより支持されている。
【０１００】
つまり、第３側面部３０側へ略９０度回動した後の第１横桟部６４ａは、その内外面部を略垂直に立てた状態（回動前には第１切込みＪ６０側であった辺部を上側とし、回動前には第２切込みＪ６２側であった辺部を下側とした状態）となり、第１側面部１０側では、第１横桟部６４ａの内側の面部（回動前には底面部６０の外側面の一部であった面部）と、支持部１６ａの内側の面部（反転前には第１側面部１０の外側面の一部であった面部）とが略直角をなし、略垂直状態の第１折れ線第１節部Ｃ１０ａが略垂直状態の第５折れ線Ｃ１２ａの近傍に重なっている。
【０１０１】
また、第２側面部２０側では、第１横桟部６４ａの内側の面部と、支持部２６ａの内側の面部（反転前には第２側面部２０の外側面の一部であった面部）とが略直角をなし、略垂直状態の第２折れ線第１節部Ｃ２０ａが略垂直状態の第７折れ線Ｃ２２ａの近傍に重なっている。
【０１０２】
また、上記のように、第３折れ線Ｃ３０と第１切込みＪ６０との間隔の長さである第９長さＨ９と、第１側面部１０の高さ方向の長さである第１長さＨ１と、第２側面部２０の高さ方向の長さである第２長さＨ２とは略同一の長さであるので、回動後の第１横桟部６４ａの上側の辺部と、第１側面部１０の上辺部１４ｃと、第２側面部２０の上辺部２４ｃとは、略同一の高さに位置している。つまり、第１横桟部６４ａの上端の高さを第１側面部１０の上端の高さや第２側面部２０の上端の高さと揃えることができる。
【０１０３】
また、第１横桟部６４ａの外側の面部（回動前には底面部６０の内側面の一部であった面部）における第１折れ線第１節部Ｃ１０ａ側の端部と、第１縦桟部１２ａの内側の面部の上端部とが接着され、第１横桟部６４ａの外側の面部における第２折れ線第１節部Ｃ２０ａ側の端部と、第３縦桟部２２ａの内側の面部の上端部とが接着されている。なお、第１縦桟部１２ａの内側の面と第３側面部３０の外側の面とを接着するとともに、第３縦桟部２２ａの内側の面と第３側面部３０の外側の面とを接着するようにしてもよい。
【０１０４】
なお、上記のように、支持部１６ａの回動基端である第９折れ線Ｃ６０ａは、第１仮想線上に位置している。この第１仮想線とは、第１折れ線Ｃ１０上の２点を通って第１折れ線Ｃ１０の長さ方向に延びる直線である第１折れ線方向線と、第５折れ線Ｃ１２ａ上の２点を通って第５折れ線Ｃ１２ａの長さ方向に延びる直線である第５折れ線方向線との交点の近傍を通り、第１折れ線Ｃ１０の中点側にて、第１折れ線方向線に対し略４５度の角度をなす直線である。
【０１０５】
また、第１折れ線方向線と第５折れ線方向線とは、略９０度の角度をなし、また、組み立てた状態では、第１縦桟部１２ａは、底面部６０に対し略垂直である。
【０１０６】
よって、第９折れ線Ｃ６０ａを軸とし、支持部１６ａを第１縦桟部１２ａの上端部側へ略１８０度回動させれば、第１折れ線方向線上の線分である第１折れ線第１節部Ｃ１０ａは、第５折れ線Ｃ１２ａに対し平行となる。
【０１０７】
また、支持部２６ａの回動基端である第１１折れ線Ｃ７０ａは、第３仮想線上に位置している。この第３仮想線とは、第２折れ線Ｃ２０上の２点を通って第２折れ線Ｃ２０の長さ方向に延びる直線である第２折れ線方向線と、第７折れ線Ｃ２２ａ上の２点を通って第７折れ線Ｃ２２ａの長さ方向に延びる直線である第７折れ線方向線との交点の近傍を通り、第２折れ線Ｃ２０の中点側にて、第２折れ線方向線に対し略４５度の角度をなす直線である。
【０１０８】
また、第２折れ線方向線と第７折れ線方向線とは、略９０度の角度をなし、また、組み立てた状態では、第３縦桟部２２ａは、底面部６０に対し略垂直である。
【０１０９】
よって、第１１折れ線Ｃ７０ａを軸とし、支持部２６ａを第３縦桟部２２ａの上端部側へ略１８０度回動させれば、第２折れ線方向線上の線分である第２折れ線第１節部Ｃ１０ａは、第７折れ線Ｃ２２ａに対し平行となる。
【０１１０】
そして、第１横桟部６４ａは、第１仮想線と第１折れ線方向線との交点と、第３仮想線と第２折れ線方向線との交点とを結ぶ線分を軸とし、ブランク状態における元の位置（第１底面構成部６６ａと第３底面構成部６６ｃとの間の位置）から、第３側面部３０側へ９０度回動する。
【０１１１】
この第１仮想線と第１折れ線方向線との交点の位置と、第３仮想線と第２折れ線方向線との交点の位置については、ブランク形成に使用される紙材の厚み、抗折強度等の曲げ加工の容易性に影響を及ぼす特性を考慮し決定する必要がある。
【０１１２】
例えば、紙材が薄く抗折強度が低い場合は、第１仮想線と第１折れ線方向線との交点の位置を、第１折れ線方向線と第３折れ線方向線との交点の位置に一致させ（つまり、第１仮想線が、第１折れ線方向線と第３折れ線方向線との交点を通る）、第３仮想線と第２折れ線方向線との交点の位置を、第２折れ線方向線と第３折れ線方向線との交点の位置に一致させれば（つまり、第３仮想線が、第２折れ線方向線と第３折れ線方向線との交点を通る）、第１横桟部６４ａが第１縦桟部１２ａ及び第３縦桟部２２ａに具合よく当接して接着されるが、紙材が厚い場合や、紙材が薄くても抗折強度が高い場合などには、上記のように交点位置を一致させると、第１横桟部６４ａが第１縦桟部１２ａ及び第３縦桟部２２ａを押圧して包装箱５に歪みが生じてしまったり、第１横桟部６４ａが第１縦桟部１２ａ及び第３縦桟部２２ａに十分に接触せず、接着強度を確保できなくなることもあり得るため、第１縦桟部１２ａ及び第３縦桟部２２ａへの第１横桟部６４ａの当たり具合を調整するべく、紙材特性を考慮した上で、第１仮想線と第１折れ線方向線との交点の位置については、第１折れ線方向線と第５折れ線方向線との交点の近傍内にて適宜決定する必要があり、第３仮想線と第２折れ線方向線との交点の位置については、第２折れ線方向線と第７折れ線方向線との交点の近傍内にて適宜決定する必要がある。
【０１１３】
また、第１側面部１０での第４側面部４０側の第１０折れ線Ｃ６０ｂと、第２側面部２０での第４側面部４０側の第１２折れ線Ｃ７０ｂにて、谷折りするとともに、第１側面部１０側の第１折れ線第２節部Ｃ１０ｂと、第２側面部２０側の第２折れ線第２節部Ｃ２０ｂにて、山折りすることにより、底面部６０から抜き出された第２横桟部６４ｂが第４側面部４０側に回動し、立設状態の第４側面部４０の上方にて、第１側面部１０から抜き出された支持部１６ｂと、第２側面部２０から抜き出された第２横桟部第２支持部２６ｂとにより支持されている。
【０１１４】
つまり、図３、図５、図８、図９に示すように、支持部１６ｂは、第１０折れ線Ｃ６０ｂにて、谷折りするとともに、第１折れ線第２節部Ｃ１０ｂにて、山折りすることにより、第１０折れ線Ｃ６０ｂを軸とし、ブランク状態における支持部１６ｂの元の位置（第１側面本体部１４内に収まっている状態での位置）から第６折れ線Ｃ１２ｂの上端部側（つまり、第２縦桟部１２ｂの上端部側）へ略１８０度回動して反転する
この時、第２側面部２０側では、支持部２６ｂが、第１側面部１０側での支持部１６ｂと同様に動作し反転する。
【０１１５】
つまり、図３、図５、図８に示されるように、支持部２６ｂは、第１２折れ線Ｃ７０ｂを谷折りするとともに、第２折れ線第２節部Ｃ２０ｂを山折りすることにより、第１２折折れ線Ｃ７０ｂを軸とし、ブランク状態における支持部２６ｂの元の位置（第２側面本体部２４内に収まっている状態での位置）から第８折れ線Ｃ２２ｂの上端部側（つまり、第４縦桟部２２ｂの上端部側）へ略１８０度回動して反転する。
【０１１６】
ここで、第１横桟部６４ｂは、第３切込みＫ６０と、第４切込みＫ６２と、第１折れ線第２節部Ｃ１０ｂと、第２折れ線第２節部Ｃ２０ｂとにより囲まれた領域であり、支持部１６ｂは、第３切込みＫ６０に続けて形成された第７切込みＫ７０と、第４切込みＫ６２に続けて形成された第８切込みＫ７２と、第１０折れ線Ｃ６０ｂと、第１折れ線第２節部Ｃ１０ｂとにより囲まれた領域であり、支持部２６ｂは、第３切込みＫ６０に続けて形成された第１１切込みＫ８０と、第４切込みＫ６２に続けて形成された第１２切込みＫ８２と、第１２折れ線Ｃ７０ｂと、第２折れ線第２節部Ｃ２０ｂとにより囲まれた領域であり、つまり、第１横桟部６４ｂと、支持部１６ｂとは、第１折れ線第２節部Ｃ１０ｂを介して連続しており、また、第２横桟部６４ｂと、支持部２６ｂとは、第２折れ線第２節部Ｃ２０ｂを介して連続しており、第１横桟部６４ｂと、支持部１６ｂと、支持部２６ｂとは、一体のものである。
【０１１７】
このように、支持部１６ｂ及び支持部２６ｂと一体の第２横桟部６４ｂは、支持部１６ｂと支持部２６ｂとが反転することにより、これらに連動して第４側面部４０側へ略９０度回動して、第４側面部４０の上方にて、第４側面部４０に対し略平行に配置され、第２横桟部６４ｂの第１折れ線第２節部Ｃ１０ｂ側は、支持部１６ｂにより支持され、第２横桟部６４ｂの第２折れ線第２節部Ｃ２０ｂ側は、支持部２６ｂにより支持されている。
【０１１８】
つまり、第４側面部４０側へ略９０度回動した後の第２横桟部６４ｂは、その内外面部を略垂直に立てた状態（回動前には第３切込みＫ６０側であった辺部を上側とし、回動前には第４切込みＫ６２側であった辺部を下側とした状態）となり、第１側面部１０側では、第２横桟部６４ｂの内側の面部（回動前には底面部６０の外側面の一部であった面部）と、支持部１６ｂの内側の面部（反転前には第１側面部１０の外側面の一部であった面部）とが略直角をなし、略垂直状態の第１折れ線第２節部Ｃ１０ｂが略垂直状態の第６折れ線Ｃ１２ｂの近傍に重なっている。
【０１１９】
また、第２側面部２０側では、第２横桟部６４ｂの内側の面部と、支持部２６ｂの内側の面部（反転前には第２側面部２０の外側面の一部であった面部）とが略直角をなし、略垂直状態の第２折れ線第２節部Ｃ２０ｂが略垂直状態の第８折れ線Ｃ２２ｂの近傍に重なっている。
【０１２０】
また、上記のように、第４折れ線Ｃ４０と第３切込みＫ６０との間隔の長さである第１０長さＨ１０と、第１側面部１０の高さ方向の長さである第１長さＨ１と、第２側面部２０の高さ方向の長さである第２長さＨ２とは略同一の長さであるので、回動後の第２横桟部６４ｂの上側の辺部と、第１側面部１０の上辺部１４ｃと、第２側面部２０の上辺部２４ｃとは、略同一の高さに位置している。つまり、第２横桟部６４ｂの上端の高さを第１側面部１０の上端の高さや第２側面部２０の上端の高さと揃えることができる。
【０１２１】
また、第２横桟部６４ｂの外側の面部（回動前には底面部６０の内側面の一部であった面部）における第１折れ線第２節部Ｃ１０ｂ側の端部と、第２縦桟部１２ｂの内側の面部の上端部とが接着され、第２横桟部６４ｂの外側の面部における第２折れ線第２節部Ｃ２０ｂ側の端部と、第４縦桟部２２ｂの内側の面部の上端部とが接着されている。なお、第２縦桟部１２ｂの内側の面と第４側面部４０の外側の面とを接着するとともに、第４縦桟部２２ｂの内側の面と第４側面部４０の外側の面とを接着するようにしてもよい。
【０１２２】
なお、上記のように、支持部１６ｂの回動基端である第１０折れ線Ｃ６０ｂは、第２仮想線上に位置している。この第２仮想線とは、上記の第１折れ線方向線と、第６折れ線Ｃ１２ｂ上の２点を通って第６折れ線Ｃ１２ｂの長さ方向に延びる直線である第６折れ線方向線との交点の近傍を通り、第１折れ線Ｃ１０の中点側にて、第１折れ線方向線に対し略４５度の角度をなす直線である。
【０１２３】
また、第１折れ線方向線と第６折れ線方向線とは、略９０度の角度をなし、また、組み立てた状態では、第２縦桟部１２ｂは、底面部６０に対し略垂直である。
【０１２４】
よって、第１０折れ線Ｃ６０ｂを軸とし、支持部１６ｂを第２縦桟部１２ｂの上端部側へ略１８０度回動させれば、第１折れ線方向線上の線分である第１折れ線第２節部Ｃ１０ｂは、第６折れ線Ｃ１２ｂに対し平行となる。
【０１２５】
また、支持部２６ｂａの回動基端である第１２折れ線Ｃ７０ｂは、第４仮想線上に位置している。この第４仮想線とは、上記の第２折れ線方向線と、第８折れ線Ｃ２２ｂ上の２点を通って第８折れ線Ｃ２２ｂの長さ方向に延びる直線である第８折れ線方向線との交点の近傍を通り、第２折れ線Ｃ２０の中点側にて、第２折れ線方向線に対し略４５度の角度をなす直線である。
【０１２６】
また、第２折れ線方向線と第８折れ線方向線とは、略９０度の角度をなし、また、組み立てた状態では、第４縦桟部２２ｂは、底面部６０に対し略垂直である。
【０１２７】
よって、第１２折れ線Ｃ７０ｂを軸とし、支持部２６ｂを第４縦桟部２２ｂの上端部側へ略１８０度回動させれば、第２折れ線方向線上の線分である第２折れ線第２節部Ｃ１０ｂは、第８折れ線Ｃ２２ｂに対し平行となる。
【０１２８】
そして、第２横桟部６４ｂは、第２仮想線と第１折れ線方向線との交点と、第４仮想線と第２折れ線方向線との交点とを結ぶ線分を軸とし、ブランク状態における元の位置（第２底面構成部６６ｂと第３底面構成部６６ｃとの間の位置）から、第４側面部４０側へ９０度回動する。
【０１２９】
この第２仮想線と第１折れ線方向線との交点の位置と、第４仮想線と第２折れ線方向線との交点の位置については、ブランク形成に使用される紙材の厚み、抗折強度等の曲げ加工の容易性に影響を及ぼす特性を考慮し決定する必要があり、上記の第１横桟部６４ａの場合と同様の理由により、第２仮想線と第１折れ線方向線との交点の位置については、第１折れ線方向線と第６折れ線方向線との交点の近傍内にて適宜決定する必要があり、第４仮想線と第２折れ線方向線との交点の位置については、第２折れ線方向線と第８折れ線方向線との交点の近傍内にて適宜決定する必要がある。
【０１３０】
例えば、紙材が薄く抗折強度が低い場合は、第２仮想線と第１折れ線方向線との交点の位置を、第１折れ線方向線と第４折れ線方向線との交点の位置に一致させ（つまり、第２仮想線が、第１折れ線方向線と第４折れ線方向線との交点を通る）、第４仮想線と第２折れ線方向線との交点の位置を、第２折れ線方向線と第４折れ線方向線との交点の位置に一致させればよい（つまり、第４仮想線が、第２折れ線方向線と第４折れ線方向線との交点を通る）。
【０１３１】
なお、図９には、第１側面部１０を折り立てる際、同時に支持部１６ａを反転させる場合の状態が示されているが、各支持部１６ａ、２６ａ、１６ｂ、２６ｂの反転、各横桟部６４ａ、６４ｂの回動については、図示したように、第１側面部１０及び第２側面部２０の折り立てと同時に行ってもよいが、第１側面部１０及び第２側面部２０を折り立てた後に、各支持部１６ａ、２６ａ、１６ｂ、２６ｂの反転させ、各横桟部６４ａ、６４ｂを回動させてもよい。
【０１３２】
上記のようにして、包装箱５は、図１、図２に示すように、組み立てられた状態となる。
【０１３３】
組み立てられた包装箱５においては、通常のトレーと同様に使用し、包装箱内部の収納空間に被収納物を収納して使用する。なお、包装箱５が組み立てられた状態においては、底面部６０には、第１横桟部６４ａと第２横桟部６４ｂの領域に開口が形成され、第１側面部１０には、支持部１６ａ、１６ｂの領域に開口が形成され、第２側面部２０には、支持部２６ａ、２６ｂの領域に開口が形成されるので、被収納物はこれらの開口から脱落しない大きさにする必要がある。なお、包装箱５の内側の面（つまり、５つの面）に沿ってシート状の部材を敷き（例えば、１枚のシート状の部材を敷く）、該シート状の部材の中に被収納物を収納してもよい。
【０１３４】
以上のように、本実施例の包装箱５によれば、第３側面部３０と、第３側面部３０の両側端部の一方に立設される第１縦桟部１２ａと、他方に立設される第３縦桟部２２ａと、両縦桟部１２ａ、２２ａの上端部間に架設される第１横桟部６４ａとにより額縁形状の第３側面部３０側を形成できるとともに、第４側面部４０と、第４側面部４０の両側端部の一方に立設される第２縦桟部１２ｂと、他方に立設される第４縦桟部２２ｂと、両縦桟部１２ｂ、２２ｂの上端部間に架設される第２横桟部６４ｂとにより、第３側面部３０に相対する額縁形状の第４側面部４０側を形成できることから、第１側面部１０の高さ方向の長さである第１長さＨ１と第２側面部２０の高さ方向の長さである第２長さＨ２とに比べて、第３側面部３０の高さ方向の長さである第３長さＨ３と第４側面部４０の高さ方向の長さである第６長さＨ６とを短くすることができ、例えば、同一高さの４つ側面部を有する従前の包装箱で、４側面部の高さ方向の長さがＨ１である包装箱に比べて、ブランク形成に要する紙材の正味を削減することができ、包装箱の製造コストを低減することができる。
【０１３５】
つまり、包装箱５の場合、第１長さＨ１（＝第２長さＨ２）から第３長さＨ３を差し引いた長さに第３側面部３０の横幅方向の長さを掛け算して得られる面積と、第１長さＨ１（＝第２長さＨ２）から第６長さＨ６を差し引いた長さに第４側面部４０の横幅方向の長さを掛け算して得られる面積との合計面積相当分を上記従前包装箱の場合に比べて削減することができる。
【０１３６】
また、第３長さＨ３と、第１縦桟部１２ａの横幅方向の長さである第４長さＨ４と、第３縦桟部２２ａの横幅方向の長さである第５長さＨ５と、第６長さＨ６と、第２縦桟部１２ｂの横幅方向の長さである第７長さＨ７と、第４縦桟部２２ｂの横幅方向の長さである第８長さＨ８とが、第１長さＨ１よりも短いので、ブランク形成時に生じる紙材のロスが削減され、特に、第３長さＨ３〜第８長さＨ８が略同一の長さになるように形成されていることにより、ブランク形成時に生じる紙材のロスが削減され、包装箱の製造コストを低減することができる。
【０１３７】
つまり、同一高さの４側面部を有する従前包装箱では、ブランクの全体概形（概略輪郭）が略十文字形となるため、ブランク形成用の紙材中にブランク形成領域を無駄なく詰めて並べることが困難であるが、包装箱５では、ブランクの全体概形が略方形状となることから、側面部の高さ方向の長さが長く、深さが深い包装箱であっても、紙材中にブランク形成領域を効率良く並べて、非形成領域が占める面積が削減される。
【０１３８】
また、各横桟部６４ａ、６４ｂと、各支持部１６ａ、２６ａ、１６ｂ、２６ｂとが一体で、支各横桟部６４ａ、６４ｂが、各支持部１６ａ、２６ａ、１６ｂ、２６ｂにより支持されていることにより、包装箱５の強度維持を図ることができ、特に、包装箱５の第３側面部３０側の側面と第４側面部４０側の側面の強度維持を図ることができる。
【０１３９】
つまり、額縁形状の側面部構造を形成するに当たり、例えば、包装箱本体部とは別体の横桟部で、横長の長方形状に形成された横桟部の一方の側端部を一方の縦桟部の上端部に接着し、横桟部の他方の側端部を他方の縦桟部の上端部に接着して、両縦桟部間に横桟部を架設した場合、このような包装箱本体部と横桟部とから構成された包装箱では、包装箱を取り扱う際、横桟部が内外から押圧されたり、横桟部の上側の辺部に手を掛け引っ張ったりされることで、接着部が荷重に耐えられずに剥離し易く、従前の包装箱に比べて、包装箱が損壊し易い。
【０１４０】
つまり、別体の横桟部は、それ自体だけでは、底面部の辺部上方に留まることができないものであるから、横桟部に加えられた様々な向きの荷重の殆どを接着剤により受け止めなければならないが、これに対し、包装箱５の場合、第１横桟部６４ａは、どこかに接着されていなくても、支持部１６ａと支持部２６ａとにより支持されて、第３側面部３０の上方にて留まっていることが可能であり、つまり、第１横桟部６４ａは、支持部１６ａと支持部２６ａとにより束縛され、その自由度が限定されていることから、第１横桟部６４ａに加えられた様々な向きの荷重のうち幾分かは、接着剤ではなく、支持部１６ａと支持部２６ａとにより受け止め、接着剤にかかる負担、疲労が少ないため、従前の包装箱と比較しても、遜色のない接着耐久性を示す。
【０１４１】
特に、第１横桟部６４ａの外側から内側へ荷重が加わった場合、支持部１６ａと支持部２６ａとが、方杖（ほうづえ  築で補強のために、水平材と、これに交差する垂直材とによって生ずる鉛直面の入隅部分を斜めに結ぶ部材）と同様の作用により、第１横桟部６４ａを強固に支えるため、頑強であるだけでなく、荷重の殆どを支持部１６ａと支持部２６ａとで受け止め、接着部に負担をかけない。
【０１４２】
また、第４側面部４０側についても、第２横桟部６４ｂが、支持部１６ｂと支持部２６ｂとにより、支持されていることにより、第３側面部３０側と同様の理由で、第２横桟部６４ｂの外側から内側へ荷重に対し頑強で、第２横桟部６４ｂと各縦桟部１２ｂ、２２ｂとの接着強度が維持される。
【符号の説明】
【０１４３】
５  包装箱
１０  第１側面部
１２ａ  第１縦桟部
１２ｂ  第２縦桟部
１３ａ、１５ａ、２３ａ  側辺部
１３ｃ、１４ｃ、１５ｃ、２３ｃ、２４ｃ、２５ｃ、３２ｃ、４２ｃ  上辺部
１４  第１側面本体部
２０  第２側面部
２２ａ  第３縦桟部
２２ｂ  第４縦桟部
２４  第２側面本体部
３０  第３側面部
４０  第４側面部
６０  底面部
６４ａ  第１横桟部
６４ｂ  第２横桟部
６６ａ  第１底面構成部
６６ｂ  第２底面構成部
６６ｃ  第３底面構成部
Ｃ１０  第１折れ線
Ｃ２０  第２折れ線
Ｃ３０  第３折れ線
Ｃ４０  第４折れ線
Ｃ１２ａ  第５折れ線
Ｃ１２ｂ  第６折れ線
Ｃ２２ａ  第７折れ線
Ｃ２２ｂ  第８折れ線
Ｃ６０ａ  第９折れ線
Ｃ６０ｂ  第１０折れ線
Ｃ７０ａ  第１１折れ線
Ｃ７０ｂ  第１２折れ線
Ｃ１０ａ  第１折れ線第１節部
Ｃ１０ｂ  第１折れ線第２節部
Ｃ１０ｃ  第１折れ線第３節部
Ｃ１０ｄ  第１折れ線第４節部
Ｃ１０ｅ  第１折れ線第５節部
Ｃ２０ａ  第２折れ線第１節部
Ｃ２０ｂ  第２折れ線第２節部
Ｃ２０ｃ  第２折れ線第３節部
Ｃ２０ｄ  第２折れ線第４節部
Ｃ２０ｅ  第２折れ線第５節部
Ｊ６０  第１切込み
Ｊ６２  第２切込み
Ｋ６０  第３切込み
Ｋ６２  第４切込み
Ｐ１０  第１基点
Ｐ２０  第３基点
Ｐ３０  第５基点
Ｐ４０  第７基点
Ｑ１０  第２基点
Ｑ２０  第４基点
Ｑ３０  第６基点
Ｑ４０  第８基点
Ｒ１０  第９基点
Ｒ２０  第１０基点
Ｒ３０  第１１基点
Ｒ４０  第１２基点
Ｓ１０  第１３基点
Ｓ２０  第１４基点
Ｓ３０  第１５基点
Ｓ４０  第１６基点
Ｈ１  第１長さ
Ｈ２  第２長さ
Ｈ３  第３長さ
Ｈ４  第４長さ
Ｈ５  第５長さ
Ｈ６  第６長さ
Ｈ７  第７長さ
Ｈ８  第８長さ
Ｈ９  第９長さ
Ｈ１０  第１０長さ
Ｊ６０  第１切込み
Ｊ６２  第２切込み
Ｋ６０  第３切込み
Ｋ６２  第４切込み
Ｊ７０  第５切込み
Ｊ７２  第６切込み
Ｋ７０  第７切込み
Ｋ７２  第８切込み
Ｊ８０  第９切込み
Ｊ８２  第１０切込み
Ｋ８０  第１１切込み
Ｋ８２  第１２切込み
Ｊ７０４  第１３切込み
Ｊ７２１  第１４切込み
Ｋ７０４  第１５切込み
Ｋ７２１  第１６切込み
Ｊ８０４  第１７切込み
Ｊ８２１  第１８切込み
Ｋ８０４  第１９切込み
Ｋ８２１  第２０切込み
１６ａ  第１横桟部第１支持部
２６ａ  第１横桟部第２支持部
１６ｂ  第２横桟部第１支持部
２６ｂ  第２横桟部第２支持部
Ｊ７０１  第５切込み第１節部
Ｊ７０２ａ  第５切込み第２節部
Ｊ７０２ｂ  第５切込み第３節部
Ｋ７０１  第７切込み第１節部
Ｋ７０２ａ  第７切込み第２節部
Ｋ７０２ｂ  第７切込み第３節部
Ｊ８０１  第９切込み第１節部
Ｊ８０２ａ  第９切込み第２節部
Ｊ８０２ｂ  第９切込み第３節部
Ｋ８０１  第１１切込み第１節部
Ｋ８０２ａ  第１１切込み第２節部
Ｋ８０２ｂ  第１１切込み第３節部
Ｃ７０a−３  第５折れ線延長部
Ｃ７０ｂ−３  第６折れ線延長部
Ｃ７０ｃ−３  第７折れ線延長部
Ｃ７０ｄ−３  第８折れ線延長部
６８ａ  第１穴部
６８ｂ  第２穴部
６８ｃ  第３穴部
６８ｄ  第４穴部
６８ａ−１、６８ａ−２、６８ａ−３、６８ａ−４、６８ｂ−１、６８ｂ−２、６８ｂ−３、６８ｂ−４、６８ｃ−１、６８ｃ−２、６８ｃ−３、６８ｃ−４、６８ｄ−１、６８ｄ−２、６８ｄ−３、６８ｄ−４  切欠き
７０ａ  第１突出部
７０ｂ  第２突出部
７０ｃ  第３突出部
７０ｄ  第４突出部
７０ａ−１  第１突片部
７０a−２  第２突片部
７０ｂ−１  第３突片部
７０ｂ−２  第４突片部
７０ｃ−１  第５突片部
７０ｃ−２  第６突片部
７０ｄ−１  第７突片部
７０ｄ−２  第８突片部
９０ａ  第１稜角部
９０ｂ  第２稜角部
９０ｃ  第３稜角部
９０ｄ  第４稜角部
【図１】
2014237480.tif 000003
【図２】
2014237480.tif 000004
【図３】
2014237480.tif 000005
【図４】
2014237480.tif 000006
【図５】
2014237480.tif 000007
【図６】
2014237480.tif 000008
【図７】
2014237480.tif 000009
【図８】
2014237480.tif 000010
【図９】
2014237480.tif 000011
【図１０】
2014237480.tif 000012
【図１１】
2014237480.tif 000013